(57)【特許請求の範囲】
【請求項１】
ネットワークノードにおける使用のための方法であって、
第１のキャリア周波数上で第１の種類の信号測定を実行するための第１のパラメータ及び前記第１のキャリア周波数上で第２の種類の信号測定を実行するための第２のパラメータを含むキャリア周波数ごとの複数のパラメータを判定することであって、前記複数のパラメータは、セル内の信号測定のためにワイヤレスデバイスにより使用されるべきビームの最大数を示し、前記第２の種類の信号測定は、前記第１の種類の信号測定とは異なる、判定すること（１２０２，１４０２）と、
前記複数のパラメータを前記ワイヤレスデバイスへ通信すること（１２０４，１４０４Ａ，１４０４Ｂ，１４０４Ｃ）と、を含む、
方法。
【請求項２】
ネットワークノード（２０）であって、
第１のキャリア周波数上で第１の種類の信号測定を実行するための第１のパラメータ及び前記第１のキャリア周波数上で第２の種類の信号測定を実行するための第２のパラメータを含むキャリア周波数ごとの複数のパラメータを判定する、ように動作可能な処理回路であって、前記複数のパラメータは、セル内の信号測定のためにワイヤレスデバイスにより使用されるべきビームの最大数を示し、前記第２の種類の信号測定は、前記第１の種類の信号測定とは異なる、処理回路（２４）と、
前記複数のパラメータを前記ワイヤレスデバイスへ通信するように動作可能なワイヤレスインタフェース（２２）と、を備える、
ネットワークノード。
【請求項３】
請求項２のネットワークノードであって、前記第１の種類の信号測定は、セル固有リファレンス信号の測定、同期信号の測定、又は無線リソース管理（ＲＲＭ）測定という種類の信号測定のうちの少なくとも１つを含み、
前記第２の種類の信号測定は、セル固有リファレンス信号の測定、同期信号の測定、又は無線リソース管理（ＲＲＭ）測定という種類の信号測定のうちの他の１つを含む、ネットワークノード。
【請求項４】
請求項２又は３のネットワークノードであって、前記ワイヤレスインタフェースは、キャリア周波数ごとの少なくとも１つの前記パラメータを、全てのワイヤレスデバイスに共通のシステム情報において通信する、ように動作可能であり、及び／又は、
前記ワイヤレスインタフェースは、キャリア周波数ごとの少なくとも１つの前記パラメータを、前記ワイヤレスデバイスへの専用シグナリングにおいて通信する、ように動作可能である、ネットワークノード。
【請求項５】
請求項２〜４のいずれか１項のネットワークノードであって、
前記処理回路は、前記ワイヤレスデバイスが固有のセルの前記第１の種類の信号測定を実行する際にセル固有オフセットに従って少なくとも１つの前記パラメータの値を調整するように、前記固有のセルに各々が関連付けられる１つ以上の前記セル固有オフセットを判定する、ようにさらに動作可能であり、
前記ワイヤレスインタフェースは、１つ以上の前記セル固有オフセットを前記ワイヤレスデバイスへ送信する、ようにさらに動作可能であり、
１つ以上の前記セル固有オフセットは、キャリア周波数ごとに構成される、ネットワークノード。
【請求項６】
請求項２〜５のいずれか１項のネットワークノードであって、
前記処理回路は、前記ワイヤレスデバイスのビーム形成ケイパビリティに基づいて、ＵＥ固有オフセットを判定する、ようにさらに動作可能であり、
前記ワイヤレスインタフェースは、前記ワイヤレスデバイスが前記ＵＥ固有オフセットに従って少なくとも１つの前記パラメータの値を調整するように前記ＵＥ固有オフセットを前記ワイヤレスデバイスへ送信する、ようにさらに動作可能であり、及び／又は
少なくとも１つの前記パラメータは、測定オブジェクト（ＭｅａｓＯｂｊｅｃｔ）情報エレメントにおいて、前記ネットワークノードから前記ワイヤレスデバイスへシグナリングされる、ネットワークノード。
【請求項７】
ワイヤレスデバイスにおける使用のための方法であって、
ネットワークノードから、第１のキャリア周波数上で第１の種類の信号測定を実行するための第１のパラメータ及び前記第１のキャリア周波数上で第２の種類の信号測定を実行するための第２のパラメータを含むキャリア周波数ごとの複数のパラメータを受信することであって、前記複数のパラメータは、セル内の信号測定のために前記ワイヤレスデバイスにより使用されるべきビームの最大数を示し、前記第２の種類の信号測定は、前記第１の種類の信号測定とは異なる、受信すること（１３０２，１４０４Ａ，１４０４Ｂ，１４０４Ｃ）と、
前記複数のパラメータを使用すること（１３０４，１４０６）と、
を含む、方法。
【請求項８】
ワイヤレスデバイス（１０）であって、
ネットワークノードから、第１のキャリア周波数上で第１の種類の信号測定を実行するための第１のパラメータ及び前記第１のキャリア周波数上で第２の種類の信号測定を実行するための第２のパラメータを含むキャリア周波数ごとの複数のパラメータを受信するように動作可能なインタフェースであって、前記複数のパラメータは、セル内の信号測定のために前記ワイヤレスデバイスにより使用されるべきビームの最大数を示し、前記第２の種類の信号測定は、前記第１の種類の信号測定とは異なる、インタフェース（１２）と、
前記複数のパラメータを使用する、ように動作可能な処理回路（１４）と、
を備える、ワイヤレスデバイス（１０）。
【請求項９】
請求項８のワイヤレスデバイスであって、前記第１の種類の信号測定は、セル固有リファレンス信号の測定、同期信号の測定、又は無線リソース管理（ＲＲＭ）測定という種類の信号測定のうちの少なくとも１つを含み、
前記第２の種類の信号測定は、セル固有リファレンス信号の測定、同期信号の測定、又は無線リソース管理（ＲＲＭ）測定という種類の信号測定のうちの他の１つを含む、ワイヤレスデバイス。
【請求項１０】
請求項８又は９のワイヤレスデバイスであって、キャリア周波数ごとの少なくとも１つの前記パラメータは、全てのワイヤレスデバイスに共通のシステム情報において受信される、ワイヤレスデバイス。
【請求項１１】
請求項８〜１０のいずれか１項のワイヤレスデバイスであって、キャリア周波数ごとの少なくとも１つの前記パラメータは、前記ワイヤレスデバイスへの専用シグナリングにおいて受信され、及び／又は
前記処理回路は、前記ワイヤレスデバイスが固有のセルの前記第１の種類の信号測定を実行する際にセル固有オフセットに従って少なくとも１つの前記パラメータの値を調整するように、前記固有のセルに各々が関連付けられる１つ以上の前記セル固有オフセットで、前記ワイヤレスデバイスを構成する、ようにさらに動作可能である、ワイヤレスデバイス。
【請求項１２】
請求項１１のワイヤレスデバイスであって、１つ以上の前記セル固有オフセットは、キャリア周波数ごとに構成される、ワイヤレスデバイス。
【請求項１３】
請求項８〜１２のいずれか１項のワイヤレスデバイスであって、前記処理回路は、
新たなセルのセル固有オフセットを検出し、
前記新たなセルの前記セル固有オフセットをサービングセルへ報告する、ようにさらに動作可能である、ワイヤレスデバイス。
【請求項１４】
請求項８〜１３のいずれか１項のワイヤレスデバイスであって、前記処理回路は、
前記ワイヤレスデバイスがＵＥ固有オフセットに従って少なくとも１つの前記パラメータの値を調整するように、特定の前記ワイヤレスデバイスに関連付けられる前記ＵＥ固有オフセットで前記ワイヤレスデバイスを構成する、ようにさらに動作可能である、ワイヤレスデバイス。
【請求項１５】
請求項８〜１４のいずれか１項のワイヤレスデバイスであって、前記ワイヤレスデバイスにより、測定オブジェクト（ＭｅａｓＯｂｊｅｃｔ）情報エレメントにおいて、前記ネットワークノードから少なくとも１つの前記パラメータが受信される、ワイヤレスデバイス。
【発明の詳細な説明】
【技術分野】
【０００１】
本開示のある実施形態は、概して、ワイヤレスネットワークに関連し、より具体的には、セル品質導出構成に関連する。
【背景技術】
【０００２】
３ＧＰＰ（Third  Generation  Partnership  Project）は、ＮＲ（New  Radio）に向けてマルチアンテナ方式を議論している。ＮＲについては、１００ＧＨｚまでの周波数レンジが検討されている。６ＧＨｚを超える高周波の無線通信は、顕著な経路損失及び侵入損失を被ることが知られている。この課題に対処するための１つの解決策は、大規模なアンテナアレイを配備して高いビーム形成利得を達成することであり、これは高周波信号の短い波長に起因して合理的な解決策である。したがって、ＮＲ向けのＭＩＭＯ（multiple  input  multiple  output）方式は、マッシブＭＩＭＯとも呼ばれる。３０／７０ＧＨｚの周辺では、２５６個までの送信（Ｔｘ）及び受信（Ｒｘ）アンテナエレメントが想定される。７０ＧＨｚにて１０２４Ｔｘをサポートするための拡張が合意されており、３０ＧＨｚについては議論中である。６ＧＨｚ未満の通信については、より大きなビーム形成及び多重化利得を獲得するために、やはりアンテナエレメントの数を増加しようとする傾向がある。
【０００３】
［ビーム形成アプローチ］
マッシブＭＩＭＯに関しては、ビーム形成のためのアナログ、デジタル及びハイブリッド（アナログとデジタルとの組合せ）という３つのアプローチが議論されてきた。アナログビーム形成はＮＲのシナリオにおいて高い経路損失を補償するはずであり、一方でデジタルプリコーディングが合理的なカバレッジを達成するために必要な６ＧＨｚ未満向けのＭＩＭＯと同様の追加的な性能利得を提供するであろう。アナログビーム形成の実装上の複雑さは、デジタルプリコーディングよりも顕著に低く、なぜなら、多くの実装においてそれが単純な位相シフタに依拠しているからであり、但し、その欠点は、複数方向の柔軟性における限界（即ち、一度に単一のビームが形成可能であり、時間ドメインでビームが切り替えられる）、広帯域送信のみ（即ち、サブ帯域上で送信不能）、アナログドメインにおける不可避的な誤差などである。今日ＬＴＥで使用されている、（デジタルドメインとＩＦドメインとの間の高価なコンバータを要する）デジタルビーム形成は、データレート及び多重化ケイパビリティ（一度に複数のサブ帯域上で複数のビームを形成可能）の観点で最良の性能を提供するが、同時に電力消費、集積化及びコストの観点で課題を有し、加えて、送信／受信ユニットの数と共に利得が線形的には拡大しない一方でコストが急速に伸びる。したがって、コスト効率的なアナログビーム形成及び高容量のデジタルビーム形成を活用するハイブリッドビーム形成をサポートすることが、ＮＲにとっては望ましい。ハイブリッドビーム形成のための一例としての図が図１に示されている。ビーム形成は、ネットワーク側又はワイヤレスデバイス側の送信ビーム及び／又は受信ビーム上で行われ得る。
【０００４】
［ビームスイーピング］
サブアレイのアナログビームを各ＯＦＤＭ（Orthogonal  Frequency  Division  Multiplexing）シンボル上で単一方向に向けて操舵することができ、よってサブアレイの数がビーム方向の数と、各ＯＦＤＭシンボル上の対応するカバレッジとを左右する。しかしながら、サービングエリア全体をカバーするビームの数は、典型的にはサブアレイの数よりも多く、特に個々のビーム幅が狭い場合にはそうである。したがって、サービングエリア全体をカバーするために、時間ドメインにおいて異なる形で操舵される狭ビームでの多重送信もまた必要とされる可能性が高い。この目的での複数の狭カバレッジビームの提供は、“ビームスイーピング”と呼ばれている。アナログ及びハイブリッドビーム形成にとっては、ビームスイーピングはＮＲにおける基本的なカバレッジを提供するために不可欠であるとみられる。この目的のために、異なる形で操舵されるビームをサブアレイを通じて送信し得る複数のＯＦＤＭシンボルを割り当てて周期的に送信することができる。ビームスイーピングの例が、図２（２つのサブアレイ上のＴｘビームスイーピング）及び図３（３つのサブアレイ上のＴｘビームスイーピング）に示されている。
【０００５】
［同期信号（ＳＳ）ブロックの構成］
以下で、ＳＳブロック及び他の実施形態において想定され得るＳＳバーストの構成の非限定的な例を説明する。
【０００６】
ＳＳブロック：ＳＳブロックは、ＮＲのプライマリ同期信号（ＮＲ−ＰＳＳ）、ＮＲのセカンダリ同期信号（ＮＲ−ＳＳＳ）、及び／又はＮＲの物理ブロードキャストチャネル（ＮＲ−ＰＢＣＨ）を送信するために使用され得る。所与の周波数帯域について、ＳＳブロックは、既定のサブキャリア間隔に基づくＯＦＤＭシンボル数（Ｎ）に対応し、Ｎは一定である。ワイヤレスデバイスは、少なくともＯＦＤＭシンボルインデックス、無線フレーム内のスロットインデックス、及びＳＳブロックからの無線フレーム番号を識別できるものとされる。（例えば、無線フレーム又はＳＳバーストセットを基準とした）あり得るＳＳブロックの時間位置の単一のセットが周波数帯域ごとに特定される。少なくともマルチビームのケースについて、ＳＳブロックの時間インデックスがワイヤレスデバイスへ示される。ワイヤレスデバイスがＣＯＮＮＥＣＴＥＤ／ＩＤＬＥモードでの測定を実行し、ＣＯＮＮＥＣＴＥＤモード中に未使用のＳＳブロックにおいてダウンリンク（ＤＬ）データ／制御を受信し、及び潜在的にはＩＤＬＥモード中に未使用のＳＳブロックにおいてＤＬデータ／制御を受信することを助ける目的で、実際に送信されるＳＳブロックの位置をワイヤレスデバイスに通知することができる。
【０００７】
ＳＳバースト：１つ又は複数のＳＳブロックがＳＳバーストを構成する。ＳＳバーストセット内のＳＳブロックの最大数Ｌは、キャリア周波数依存であり得る。例えば、周波数レンジカテゴリ＃Ａ（例えば、０〜６ＧＨｚ）について、上記数（Ｌ）は、Ｌ≦［１６］という範囲内で未定である。周波数レンジカテゴリ＃Ｂ（例えば、６〜６０ＧＨｚ）については、上記数は、Ｌ≦［１２８］という範囲内で未定である。
【０００８】
ＳＳバーストセット：１つ又は複数のＳＳバーストは、さらにＳＳバーストセット（又はシリーズ）を構成し、ＳＳバーストセット内のＳＳバーストの数は有限である。物理レイヤ仕様の視点からは、ＳＳバーストセットの少なくとも１つの周期性がサポートされる。ワイヤレスデバイスの視点からは、ＳＳバーストセット送信は周期的である。少なくとも初期のセル選択について、ワイヤレスデバイスは、所与のキャリア周波数についてＳＳバーストセット送信の既定の周期性を想定し得る（例えば、５ｍｓ、１０ｍｓ、２０ｍｓ、４０ｍｓ、８０ｍｓ又は１６０ｍｓのうちの１つ）。ワイヤレスデバイスは、所与のＳＳブロックがＳＳバーストセットの周期性と共に繰り返されるものと想定し得る。既定では、ワイヤレスデバイスは、基地局（例えば、ＮＲにおけるｇＮＢ）が同数の物理ビームを送信することも、ＳＳバーストセットの範囲内の相異なるＳＳブロックをまたいで同一の物理ビームを送信することも想定しないかもしれない。
【０００９】
各キャリアについて、ＳＳブロックは、時間合わせされ、完全に重複し若しくは少なくとも部分的に重複し、又は、（例えば、相異なるセルにおいて送信されるＳＳブロックの実際の数が異なる場合には）ＳＳブロックの開始が時間合わせされ得る。
【００１０】
ＳＳブロック、ＳＳバースト及びＳＳバーストセット／シリーズの一例としての構成が図４に示されている。
【００１１】
［モビリティ手続］
ＬＴＥでは、サービングｅＮｏｄｅＢ（ｅＮＢ）におけるハンドオーバ決定は、様々なセルの無線品質に基づいてワイヤレスデバイスにおいて構成されるイベントに基づいてなされる。それら測定は、セル品質が導出されるように、セル固有リファレンス信号（ＣＲＳ）に基づいて行われる。
【００１２】
ＬＴＥでは、ワイヤレスデバイスは、ＣＲＳ及び同期信号（ＰＳＳ／ＳＳＳ）を使用してセルを発見し、無線リソース管理（ＲＲＭ）測定を実行してセル品質を導出する。イントラ周波数測定及びインター周波数測定の双方について、ワイヤレスデバイスは、チャネル条件及び雑音レベルに依存して、あるＲＲＭ要件を充足するものと期待される。それをするために、ワイヤレスデバイスは、典型的には、（セル検出の後に）ＣＲＳに基づいて周期的に（例えば、４０ｍｓごとに）スナップショットを収集し、そこでは限られた帯域幅においてサンプルごとにコヒーレントな及びノンコヒーレントな平均が行われる。ワイヤレスデバイスは、上位レイヤへ測定結果を報告する前に、物理レイヤにおいてフィルタリングを実行する。上位レイヤにより測定結果が受信される都度、ワイヤレスデバイスは、レイヤ３（Ｌ３）フィルタリングを実行する。ＬＴＥでは、標準化されたＬ３フィルタリングが、複数のワイヤレスデバイス間のあるレベルの調和を提供する。しかしながら、レイヤ１（Ｌ１）フィルタリングのパラメータは、標準化されておらず、ワイヤレスデバイスの実装次第である。
【００１３】
考察１：ＬＴＥでは、Ｌ３フィルタリングは標準化されており、したがって、ネットワークは、ＵＥ間だけでなく１ＵＥの相異なるセル品質測定の間のあるレベルの調和を提供することができる。
【００１４】
ＴＳ３６．３００において採録された通りのＬＴＥのフィルタリングモデルが図５に再現されている。
【発明の概要】
【００１５】
本セクションにおいてさらに説明されるように、既存のシステムにおいてある問題が発生し得る。３ＧＰＰにおいてＲＡＮ１の専門用語が想定したこととして、少なくともＮＲ同期シーケンス（ＮＲ−ＰＳＳ／ＮＲ−ＳＳＳ）及びＰＢＣＨの組合せが、所謂ＳＳブロックを構成する。それは、ＯＦＤＭシンボルタイミング又は等価な情報を示すためのＴＳＳ（Tertiary  Sync  Sequence）をも含むかもしれないが、それは依然としてＲＡＮ１における今後の検討事項（ＦＦＳ）である。ターゲットセルへのアクセスを試行するＲＲＣ＿ＣＯＮＮＥＣＴＥＤであるワイヤレスデバイスは、ＳＳブロックがＳＳブロック送信のそれぞれのバースト（“ＳＳバースト”という）の形式で送信され得ることを想定し、そうしたバーストは時間的に互いに接近して前後するある数のＳＳブロック送信からなる。さらに、ＳＳバーストのセットが併せてグループ化され（“ＳＳバーストセット”という）、ＳＳバーストセット内のＳＳバーストは互いに何らかの関係を有するものと想定される。ＳＳバースト及びＳＳバーストセットは共に、それぞれの所与の周期性を有する。単一ビームのシナリオでは、ネットワークは、幅広なビームにおける１つのＳＳバーストの範囲内での時間的な繰り返しを構成し得る。
【００１６】
図６は、ＳＳバーストセットの相異なる構成の例を示している。上段の例は、幅広なビームにおける１つのＳＳバーストの範囲内での時間的な繰り返しを示している。中段の例は、ＳＳバーストセットにおける１つのＳＳバーストのみを用いた少数のビームのビームスイーピングを示している。下段の例は、完全なスイープをなすための、ＳＳバーストセットにおける１つよりも多くのＳＳバーストを用いたより多くのビームのビームスイーピングを示している。
【００１７】
ネットワークベンダは、これら３つの手段のうちでどれを実装するかを選択し得る。その選択は、ｉ）周期的かつ常時オンの狭ビームのスイーピングを送信することにより引き起こされるオーバヘッドと、ｉｉ）ＰＤＳＣＨ／ＰＤＣＣＨのための狭ビームを見つけ出すようにワイヤレスデバイスを構成するために必要とされる遅延及びシグナリングと、の間のトレードオフに依存する。図６の上段の例に示した実装はｉ）を優先し、一方で図６の下段の例に示した実装はｉｉ）を優先する。図６の中段の例は、中間的なケースであり、幅広なビームのスイーピングが使用される。そのケースにおいて、セルをカバーするビームの数は低減されるが、いくつかのケースでは、物理ダウンリンク共有チャネル（ＰＤＳＣＨ）の狭利得ビーム形成のために追加的な精緻化が必要とされる。
【００１８】
各セルにおいてこれらのうちのどれが実装されるかに関わらず、ワイヤレスデバイスは、ＳＳブロック信号がビーム形成される場合にセルベースの測定を実行できるべきである。アテネでのＲＡＮ２＃９７ミーティングからの最新のＲＡＮ２の合意によれば、セル品質の導出を複数のビームから導くことができ、次のことが合意済みである：
【００１９】
合意
・Ｎの値を１以上に構成し得るものとして、Ｎ個の最良のビームから１個のセル品質を導出することができる。
・ＦＦＳ：適用されるべきフィルタリングの詳細
・ＦＦＳ：サービングセルの品質をいかにして判定するか（例えば、サービングビームのみから、又はセル品質から）
・ＦＦＳ：本合意が追加的なＲＳ及びアイドルＲＳの双方に適用されるか
・ＦＦＳ：閾値を上回るビーム（「良好な」ビーム）のみを考慮すべきか
【００２０】
生じる問題は、各実装が異なる数Ｋのビーム（即ち、ＳＳブロックセット）を有し得ることであり、このことが、ネットワークがパラメータＮ（即ち、セル品質の導出を行うために使用すべき良好なビームの数）を最適に構成すべき手法に影響し得る。Ｎはセル品質に関連することから、測定構成内の潜在的な隣接セル候補ごとのＮと共に常にワイヤレスデバイスを構成することが、１つの解決策となり得るはずである。しかしながら、それはネットワークが常に最良のビーム群を認識していることを要するであろう。また、それはセルの構成リスト内にない新たなセルをワイヤレスデバイスが見つけ出す可能性を無効にし、Ｎが無ければ、ワイヤレスデバイスはセル品質の導出を行うように指示されないことになるであろう。加えて、ＲＡＮ２では、構成の量を最小化すべきであることもまた合意されている。他の可能性は、各セルが自身のＮパラメータをブロードキャストすることを可能にすることであろう。しかしながら、ワイヤレスデバイスが自ら検出したセル１つ１つについてシステム情報を読取ることを強いられることになるはずである。
【００２１】
本開示のある実施形態は、上述した問題に対する解決策を提供し得る。概して、ある実施形態は、マルチビームセルのシナリオにおいて、セル品質を導出するためにワイヤレスデバイスが考慮すべきビームの数を定義するために使用されるパラメータＮを構成する。その構成は、必要とされる構成の量及び所要のノード間協調を最小化するために、少なくともキャリア周波数ごとである。
【００２２】
ある実施形態によれば、ネットワークノードにおける使用のための方法が開示される。上記方法は、キャリア周波数ごとに少なくとも１つのパラメータＮを判定することを含む。上記パラメータＮは、セル内での信号測定のためにワイヤレスデバイスにより使用されるべきビームの最大数を示す。上記方法は、上記パラメータＮを上記ワイヤレスデバイスへ通信することを含む。
【００２３】
いくつかの実施形態において、上記方法は、１つ以上のインジケータを上記ワイヤレスデバイスへ通信することを含む。インジケータの例は、全てのキャリア周波数が同一のパラメータＮを使用することを示すインジケータ、同一のパラメータＮを使用するキャリア周波数のセットを示すインジケータ、特定のキャリア周波数に属するセルの集合内の全てのセルが同数のビームを有するかを示すインジケータ、及び、第１のキャリア周波数に属するセル上のビーム数が第２のキャリア周波数に属するセル上のビーム数と同一であることを示すインジケータ、を含む。
【００２４】
いくつかの実施形態において、上記パラメータＮを上記ワイヤレスデバイスへ通信することは、第１のパラメータＮ１及び上記第１のパラメータＮ１を第１のキャリア周波数に関連付ける情報を通信することと、第２のパラメータＮ２及び上記第２のパラメータＮ２を上記第１のキャリア周波数とは異なる第２のキャリア周波数に関連付ける情報を通信することと、を含む。いくつかの実施形態において、上記第１のパラメータＮ１を上記第１のキャリア周波数に関連付ける上記情報は、上記第１のキャリア周波数の周波数チャネル番号を含む。いくつかの実施形態において、上記第２のパラメータＮ２を上記第２のキャリア周波数に関連付ける上記情報は、上記第２のキャリア周波数の周波数チャネル番号を含む。
【００２５】
いくつかの実施形態において、上記信号測定は、セル固有リファレンス信号の測定、同期信号の測定、又は無線リソース管理（ＲＲＭ）測定という種類の信号測定のうちの少なくとも１つを含む。
【００２６】
いくつかの実施形態において、キャリア周波数ごとの上記少なくとも１つのパラメータＮは、第１のキャリア周波数上で第１の種類の信号測定を実行するための第１のパラメータＮ１と、上記第１のキャリア周波数上で第２の種類の信号測定を実行するための第２のパラメータＮ２と、を含む。上記第２の種類の信号測定は、上記第１の種類の信号測定とは異なる。例えば、いくつかの実施形態において、上記第１のパラメータＮ１は、同期信号の測定を実行するために使用され、上記第２のパラメータＮ２は、セル固有リファレンス信号の測定を実行するために使用される。
【００２７】
いくつかの実施形態において、キャリア周波数ごとの上記少なくとも１つのパラメータＮは、全てのワイヤレスデバイスに共通のシステム情報において通信される。
【００２８】
いくつかの実施形態において、キャリア周波数ごとの上記少なくとも１つのパラメータＮは、上記ワイヤレスデバイスへの専用シグナリングにおいて通信される。
【００２９】
いくつかの実施形態において、上記方法は、上記ワイヤレスデバイスへ１つ以上のセル固有オフセットを送信すること、をさらに含む。各セル固有オフセットは、上記ワイヤレスデバイスが固有のセルの上記信号測定を実行する際に当該セル固有オフセットに従って上記少なくとも１つのパラメータＮの値を調整するように、上記固有のセルに関連付けられる。少なくとも１つのセル固有オフセットは、上記ネットワークノードのサービングセルに関連付けられ得る。少なくとも１つの上記セル固有オフセットは、他のネットワークノードの隣接セルに関連付けられ得る。１つ以上のセル固有オフセットは、キャリア周波数ごとに構成され得る。いくつかの実施形態において、上記ワイヤレスデバイスから、新たなセルのセル固有オフセットが受信され得る。
【００３０】
いくつかの実施形態において、上記方法は、ＵＥ固有オフセットを判定すること、をさらに含む。上記ＵＥ固有オフセットは、上記ワイヤレスデバイスのビーム形成ケイパビリティに基づいて判定される。上記方法は、上記ワイヤレスデバイスが上記ＵＥ固有オフセットに従って上記少なくとも１つのパラメータＮの値を調整するように上記ＵＥ固有オフセットを上記ワイヤレスデバイスへ送信すること、を含む。
【００３１】
いくつかの実施形態において、上記方法は、相異なるキャリア周波数におけるパラメータＮについてのセル固有オフセットに関する情報を受信すること、をさらに含む。上記情報は、１つ以上の他のネットワークノードから受信される。上記方法は、キャリア周波数ごとの少なくとも１つのパラメータＮを判定する際に、受信した上記情報を使用すること、を含む。
【００３２】
いくつかの実施形態において、上記方法は、１つ以上の他のネットワークノードから、各ネットワークノードのそれぞれのセルが特定のキャリア周波数について使用するビーム数に関する情報を受信すること、をさらに含む。上記方法は、上記特定のキャリア周波数上の全てのセルについての共通的なパラメータＮを判定するために、受信した上記情報と、上記ネットワークノードの自身のセル内で上記特定のキャリア周波数について使用されるビーム数に関する情報とを使用すること、を含む。
【００３３】
いくつかの実施形態において、上記方法は、１つ以上の他のネットワークノードから、各ネットワークノードのそれぞれのセルが特定のキャリア周波数について使用する上記パラメータＮに関する情報を受信すること、をさらに含む。上記方法は、上記特定のキャリア周波数上の全てのセルについての共通的なパラメータＮを判定するために、受信した上記情報と、上記ネットワークノードの自身のセル内で上記特定のキャリア周波数について使用される上記パラメータＮに関する情報とを使用すること、を含む。いくつかの実施形態において、上記共通的なパラメータＮは、上記ネットワークノード若しくは上記他のネットワークノードのいずれかにより使用される最大のパラメータＮ、上記ネットワークノード若しくは上記他のネットワークノードのいずれかにより使用される最小のパラメータＮ、上記ネットワークノード及び上記他のネットワークノードにより使用されるパラメータＮの平均、又は、上記ネットワークノード及び上記他のネットワークノードにより使用されるパラメータＮの第Ｘパーセンタイル、に基づいて判定される。
【００３４】
いくつかの実施形態において、上記ネットワークノードは、サービングセルを含む。
【００３５】
いくつかの実施形態において、上記パラメータＮは、同一のキャリア周波数に属する各セル上で上記ワイヤレスデバイスにより実行される信号測定を促進する。
【００３６】
いくつかの実施形態において、上記パラメータＮは、マルチビームセルにおいて上記ワイヤレスデバイスにより実行される信号測定を促進する。
【００３７】
いくつかの実施形態では、測定オブジェクト（ＭｅａｓＯｂｊｅｃｔ）情報エレメントにおいて、上記ネットワークノードから上記ワイヤレスデバイスへ、上記Ｎのパラメータがシグナリングされる。
【００３８】
ある実施形態によれば、コンピュータプログラムプロダクトが開示される。上記コンピュータプログラムプロダクトは、非一時的なコンピュータ読取可能な記憶媒体を備え、上記媒体内に具現化されたコンピュータ読取可能なプログラムコードを有する。上記コンピュータ読取可能なコードは、ネットワークノードの処理回路により実行された場合に、上記ネットワークノードに動作を行わせる。それら動作は、キャリア周波数ごとに少なくとも１つのパラメータＮを判定することを含む。上記パラメータＮは、セル内での信号測定のためにワイヤレスデバイスにより使用されるべきビームの最大数を示す。上記動作は、上記パラメータＮを上記ワイヤレスデバイスへ通信することを含む。いくつかの実施形態において、上記コンピュータ読取可能なコードは、上記ネットワークノードの上記処理回路により実行された場合に、上記ネットワークノードに、ネットワークノードにおける使用のための上述した方法のいずれかを実行させる。
【００３９】
ある実施形態によれば、ネットワークノードが開示される。上記ネットワークノードは、処理回路及びワイヤレスインタフェースを備える。上記処理回路は、キャリア周波数ごとに少なくとも１つのパラメータＮを判定するように動作可能である。上記パラメータＮは、セル内での信号測定のためにワイヤレスデバイスにより使用されるべきビームの最大数を示す。上記ワイヤレスインタフェースは、上記パラメータＮを上記ワイヤレスデバイスへ通信するように動作可能である。
【００４０】
いくつかの実施形態において、上記処理回路は、１つ以上のインジケータを構成するようにさらに動作可能であり、上記ワイヤレスインタフェースは、上記インジケータを上記ワイヤレスデバイスへ通信するようにさらに動作可能である。インジケータの例は、全てのキャリア周波数が同一のパラメータＮを使用することを示すインジケータ、同一のパラメータＮを使用するキャリア周波数のセットを示すインジケータ、特定のキャリア周波数に属するセルの集合内の全てのセルが同数のビームを有するかを示すインジケータ、及び、第１のキャリア周波数に属するセル上のビーム数が第２のキャリア周波数に属するセル上のビーム数と同一であることを示すインジケータ、を含む。
【００４１】
いくつかの実施形態において、上記処理回路は、第１のパラメータＮ１、及び上記第１のパラメータＮ１を第１のキャリア周波数に関連付ける情報を判定し、及び、第２のパラメータＮ２及び上記第２のパラメータＮ２を上記第１のキャリア周波数とは異なる第２のキャリア周波数に関連付ける情報を判定する、ように動作可能である。上記ワイヤレスインタフェースは、上記第１のパラメータＮ１及び上記第２のパラメータＮ２を上記ワイヤレスデバイスへ通信する、ように動作可能である。いくつかの実施形態において、上記第１のパラメータＮ１を上記第１のキャリア周波数に関連付ける上記情報は、上記第１のキャリア周波数の周波数チャネル番号を含む。いくつかの実施形態において、上記第２のパラメータＮ２を上記第２のキャリア周波数に関連付ける上記情報は、上記第２のキャリア周波数の周波数チャネル番号を含む。
【００４２】
いくつかの実施形態において、上記信号測定は、セル固有リファレンス信号の測定、同期信号の測定、又は無線リソース管理（ＲＲＭ）測定という種類の信号測定のうちの少なくとも１つを含む。
【００４３】
いくつかの実施形態において、キャリア周波数ごとの上記少なくとも１つのパラメータＮは、第１のキャリア周波数上で第１の種類の信号測定を実行するための第１のパラメータＮ１と、上記第１のキャリア周波数上で第２の種類の信号測定を実行するための第２のパラメータＮ２と、を含む。上記第２の種類の信号測定は、上記第１の種類の信号測定とは異なる。例えば、いくつかの実施形態において、上記第１のパラメータＮ１は、同期信号の測定を実行するために使用され、上記第２のパラメータＮ２は、セル固有リファレンス信号の測定を実行するために使用される。
【００４４】
いくつかの実施形態において、上記ワイヤレスインタフェースは、キャリア周波数ごとの上記少なくとも１つのパラメータＮを、全てのワイヤレスデバイスに共通のシステム情報において通信する、ように動作可能である。
【００４５】
いくつかの実施形態において、上記ワイヤレスインタフェースは、キャリア周波数ごとの上記少なくとも１つのパラメータＮを、上記ワイヤレスデバイスへの専用シグナリングにおいて通信する、ように動作可能である。
【００４６】
いくつかの実施形態において、上記処理回路は、１つ以上のセル固有オフセットを判定する、ようにさらに動作可能である。各セル固有オフセットは、上記ワイヤレスデバイスが固有のセルの上記信号測定を実行する際に当該セル固有オフセットに従って上記少なくとも１つのパラメータＮの値を調整するように、上記固有のセルに関連付けられる。上記ワイヤレスインタフェースは、１つ以上の上記セル固有オフセットを上記ワイヤレスデバイスへ送信する、ようにさらに動作可能である。少なくとも１つのセル固有オフセットは、上記ネットワークノードのサービングセルに関連付けられ得る。少なくとも１つの上記セル固有オフセットは、他のネットワークノードの隣接セルに関連付けられ得る。１つ以上のセル固有オフセットは、キャリア周波数ごとに構成され得る。いくつかの実施形態において、上記ワイヤレスデバイスから、新たなセルのセル固有オフセットが受信され得る。
【００４７】
いくつかの実施形態において、上記処理回路は、ＵＥ固有オフセットを判定する、ようにさらに動作可能である。上記ＵＥ固有オフセットは、上記ワイヤレスデバイスのビーム形成ケイパビリティに基づいて判定される。上記ワイヤレスインタフェースは、上記ワイヤレスデバイスが上記ＵＥ固有オフセットに従って上記少なくとも１つのパラメータＮの値を調整するように上記ＵＥ固有オフセットを上記ワイヤレスデバイスへ送信する、ようにさらに動作可能である。
【００４８】
いくつかの実施形態において、上記ネットワークノードは、ネットワークインタフェースをさらに備える。上記ネットワークインタフェースは、１つ以上の他のネットワークノードから、異なる複数のキャリア周波数におけるパラメータＮについてのセル固有オフセットに関する情報を受信する、ように動作可能である。上記処理回路は、キャリア周波数ごとの少なくとも１つのパラメータＮを判定する際に、受信される上記情報を使用する、ようにさらに動作可能である。
【００４９】
いくつかの実施形態において、上記ネットワークインタフェースは、１つ以上の他のネットワークノードから、各ネットワークノードのそれぞれのセルが特定のキャリア周波数について使用するビーム数に関する情報を受信する、ように動作可能である。上記処理回路は、上記特定のキャリア周波数上の全てのセルについての共通的なパラメータＮを判定するために、受信される上記情報と、上記ネットワークノードの自身のセル内で上記特定のキャリア周波数について使用されるビーム数に関する情報とを使用する、ようにさらに動作可能である。
【００５０】
いくつかの実施形態において、上記ネットワークインタフェースは、１つ以上の他のネットワークノードから、各ネットワークノードのそれぞれのセルが特定のキャリア周波数について使用する上記パラメータＮに関する情報を受信する、ように動作可能である。上記処理回路は、上記特定のキャリア周波数上の全てのセルについての共通的なパラメータＮを判定するために、受信される上記情報と、上記ネットワークノードの自身のセル内で上記特定のキャリア周波数について使用される上記パラメータＮに関する情報とを使用する、ようにさらに動作可能である。いくつかの実施形態において、上記共通的なパラメータＮは、上記ネットワークノード若しくは上記他のネットワークノードのいずれかにより使用される最大のパラメータＮ、上記ネットワークノード若しくは上記他のネットワークノードのいずれかにより使用される最小のパラメータＮ、上記ネットワークノード及び上記他のネットワークノードにより使用されるパラメータＮの平均、又は、上記ネットワークノード及び上記他のネットワークノードにより使用されるパラメータＮの第Ｘパーセンタイル、に基づいて判定される。
【００５１】
いくつかの実施形態において、上記ネットワークノードは、サービングセルを含む。
【００５２】
いくつかの実施形態において、上記パラメータＮは、同一のキャリア周波数に属する各セル上で上記ワイヤレスデバイスにより実行される信号測定を促進する。
【００５３】
いくつかの実施形態において、上記パラメータＮは、マルチビームセルにおいて上記ワイヤレスデバイスにより実行される信号測定を促進する。
【００５４】
いくつかの実施形態では、測定オブジェクト（ＭｅａｓＯｂｊｅｃｔ）情報エレメントにおいて、上記ネットワークノードから上記ワイヤレスデバイスへ、上記Ｎのパラメータがシグナリングされる。
【００５５】
ある実施形態によれば、ワイヤレスデバイスにおける使用のための方法が開示される。上記方法は、キャリア周波数ごとに少なくとも１つのパラメータＮをネットワークノードから受信することを含む。上記パラメータＮは、セル内での信号測定のために上記ワイヤレスデバイスにより使用されるべきビームの最大数を示す。上記方法は、上記少なくとも１つのパラメータＮを使用することを含む。
【００５６】
いくつかの実施形態において、上記方法は、１つ以上のインジケータを受信すること、をさらに含む。インジケータの例は、全てのキャリア周波数が同一のパラメータＮを使用することを示すインジケータ、同一のパラメータＮを使用するキャリア周波数のセットを示すインジケータ、特定のキャリア周波数に属するセルの集合内の全てのセルが同数のビームを有するかを示すインジケータ、及び、第１のキャリア周波数に属するセル上のビーム数が第２のキャリア周波数に属するセル上のビーム数と同一であることを示すインジケータ、を含む。
【００５７】
いくつかの実施形態において、上記インジケータが上記集合内の全てのセルが同数のビームを有することを示すことに応じて、上記方法は、上記集合内のいずれか１つのセルについて上記特定のキャリア周波数上のビーム数を検出することと、上記集合内のその他のセルが上記特定のキャリア周波数上で同一のビーム数を有すると仮定することと、をさらに含む。
【００５８】
いくつかの実施形態において、上記インジケータが上記集合内の上記セルが全て同数のビームを有するわけではないことを示すことに応じて、上記方法は、セルごとに、上記特定のキャリア周波数上のビーム数を、それぞれの上記セルからのシステム情報を読取ることにより検出することと、をさらに含む。
【００５９】
いくつかの実施形態において、上記インジケータが上記第１のキャリア周波数に属するセル上のビーム数が上記第２のキャリア周波数に属するセル上のビーム数と同一であることを示すことに応じて、上記方法は、上記第１のキャリア周波数上のビーム数を検出することと、上記第２のキャリア周波数が同一のビーム数を有すると仮定することと、をさらに含む。
【００６０】
いくつかの実施形態において、上記インジケータが上記第１のキャリア周波数に属するセル上のビーム数が上記第２のキャリア周波数に属するセル上のビーム数と同一ではないことを示すことに応じて、上記方法は、上記第１のキャリア周波数上のビーム数を検出することと、上記第２のキャリア周波数上のビーム数を検出することと、をさらに含む。
【００６１】
いくつかの実施形態において、上記方法は、第１のパラメータＮ１及び上記第１のパラメータＮ１を第１のキャリア周波数に関連付ける情報を受信することと、第２のパラメータＮ２及び上記第２のパラメータＮ２を上記第１のキャリア周波数とは異なる第２のキャリア周波数に関連付ける情報を受信することと、を含む。いくつかの実施形態において、上記第１のパラメータＮ１を上記第１のキャリア周波数に関連付ける上記情報は、上記第１のキャリア周波数の周波数チャネル番号を含む。いくつかの実施形態において、上記第２のパラメータＮ２を上記第２のキャリア周波数に関連付ける上記情報は、上記第２のキャリア周波数の周波数チャネル番号を含む。
【００６２】
いくつかの実施形態において、上記少なくとも１つのパラメータＮを使用することは、上記信号測定が実行されるべき１つ以上のキャリア周波数の各々について、上記セル内で上記信号測定のために使用されるべきビームの上記最大数を判定するために、当該キャリア周波数に対応するパラメータＮを使用すること、を含む。上記方法は、上記セル内で上記最大数までのビーム上で上記信号測定を実行すること、を含む。いくつかの実施形態において、上記方法は、第２のセル内で上記最大数までのビーム上で上記信号測定を実行すること、をさらに含む。
【００６３】
いくつかの実施形態において、上記方法は、上記信号測定に基づいて、上記セルの信号品質及び／又は信号強度を導出すること、をさらに含む。
【００６４】
いくつかの実施形態において、上記信号測定は、セル固有リファレンス信号の測定、同期信号の測定、又は無線リソース管理（ＲＲＭ）測定という種類の信号測定のうちの少なくとも１つを含む。
【００６５】
いくつかの実施形態において、キャリア周波数ごとの上記少なくとも１つのパラメータＮは、第１のキャリア周波数上で第１の種類の信号測定を実行するための第１のパラメータＮ１と、上記第１のキャリア周波数上で第２の種類の信号測定を実行するための第２のパラメータＮ２と、を含む。上記第２の種類の信号測定は、上記第１の種類の信号測定とは異なる。例えば、いくつかの実施形態において、上記第１のパラメータＮ１は、同期信号の測定を実行するために使用され、上記第２のパラメータＮ２は、セル固有リファレンス信号の測定を実行するために使用される。
【００６６】
いくつかの実施形態において、上記方法は、上記信号測定を、上記ネットワークノードへの報告、隣接ネットワークノードへの報告、他のワイヤレスデバイスへの報告、セルの変更、上記ワイヤレスデバイスの測位、ドライブテスト最小化の実行、及び／又は電力制御の実行というタスクのうちの１つ以上のために使用すること、をさらに含む。
【００６７】
いくつかの実施形態において、キャリア周波数ごとの上記少なくとも１つのパラメータＮは、全てのワイヤレスデバイスに共通のシステム情報において受信される。
【００６８】
いくつかの実施形態において、キャリア周波数ごとの上記少なくとも１つのパラメータＮは、上記ワイヤレスデバイスへの専用シグナリングにおいて受信される。
【００６９】
いくつかの実施形態において、上記方法は、上記ワイヤレスデバイスを１つ以上のセル固有オフセットと共に構成すること、をさらに含む。各セル固有オフセットは、上記ワイヤレスデバイスが固有のセルの上記信号測定を実行する際に当該セル固有オフセットに従って上記少なくとも１つのパラメータＮの値を調整するように、上記固有のセルに関連付けられる。少なくとも１つのセル固有オフセットは、上記ネットワークノードのサービングセルに関連付けられ得る。少なくとも１つの上記セル固有オフセットは、他のネットワークノードの隣接セルに関連付けられ得る。上記隣接セルに関連付けられる上記セル固有オフセットは、上記サービングセルから受信され得る。１つ以上のセル固有オフセットは、キャリア周波数ごとに構成され得る。
【００７０】
いくつかの実施形態において、上記方法は、新たなセルの上記セル固有オフセットを検出することと、上記新たなセルの上記セル固有オフセットを上記サービングセルへ報告することと、をさらに含む。
【００７１】
いくつかの実施形態において、上記方法は、上記ワイヤレスデバイスが上記ＵＥ固有オフセットに従って上記少なくとも１つのパラメータＮの値を調整するように、特定の上記ワイヤレスデバイスに関連付けられる上記ＵＥ固有オフセットで上記ワイヤレスデバイスを構成すること、をさらに含む。いくつかの実施形態において、上記方法は、上記ワイヤレスデバイスの上記ビーム形成ケイパビリティに基づいて、ＵＥ固有オフセットを判定する。いくつかの実施形態において、上記ＵＥ固有オフセットは、上記ネットワークノードから受信される。
【００７２】
いくつかの実施形態において、上記ネットワークノードは、サービングセルを含む。
【００７３】
いくつかの実施形態において、上記パラメータＮは、同一のキャリア周波数に属する各セル上での信号測定のために上記ワイヤレスデバイスにより使用される。
【００７４】
いくつかの実施形態において、上記信号測定は、マルチビームセルにおいて上記ワイヤレスデバイスにより実行される。
【００７５】
いくつかの実施形態において、上記ワイヤレスデバイスにより、測定オブジェクト（ＭｅａｓＯｂｊｅｃｔ）情報エレメントにおいて、上記ネットワークノードから上記Ｎのパラメータが受信される。
【００７６】
ある実施形態によれば、コンピュータプログラムプロダクトが開示される。上記コンピュータプログラムプロダクトは、非一時的なコンピュータ読取可能な記憶媒体を備え、上記媒体内に具現化されたコンピュータ読取可能なプログラムコードを有する。上記コンピュータ読取可能なコードは、ワイヤレスデバイスの処理回路により実行された場合に、上記ワイヤレスデバイスに動作を行わせる。それら動作は、ネットワークノードから、キャリア周波数ごとに少なくとも１つのパラメータＮを受信することと、上記少なくとも１つのパラメータＮを使用することと、を含む。上記パラメータＮは、セル内での信号測定のために上記ワイヤレスデバイスにより使用されるべきビームの最大数を示す。いくつかの実施形態において、上記コンピュータ読取可能なコードは、上記ワイヤレスデバイスの上記処理回路により実行された場合に、上記ワイヤレスデバイスに、ワイヤレスデバイスにおける使用のための上述した方法のいずれかを実行させる。
【００７７】
ある実施形態によれば、ワイヤレスデバイスが開示される。上記ワイヤレスデバイスは、インタフェースと処理回路とを備える。上記インタフェースは、ネットワークノードから、キャリア周波数ごとに少なくとも１つのパラメータＮを受信するように動作可能である。上記パラメータＮは、セル内での信号測定のために上記ワイヤレスデバイスにより使用されるべきビームの最大数を示す。上記処理回路は、上記少なくとも１つのパラメータＮを使用するように動作可能である。
【００７８】
いくつかの実施形態において、上記処理回路は、１つのパラメータＮ及び全てのキャリア周波数が同一のパラメータＮを使用することを示すインジケータを受信することに基づいて、キャリア周波数ごとの上記少なくとも１つのパラメータＮを判定する、ように動作可能である。
【００７９】
いくつかの実施形態において、上記処理回路は、第１のパラメータＮ１と、上記第１のパラメータＮ１を使用するキャリア周波数を示すインジケータとに基づいて、キャリア周波数ごとの少なくとも１つのパラメータＮを判定する、ように動作可能である。
【００８０】
いくつかの実施形態において、キャリア周波数ごとの受信される上記少なくとも１つのパラメータＮは、第１のパラメータＮ１及び上記第１のパラメータＮ１を第１のキャリア周波数に関連付ける情報、並びに、第２のパラメータＮ２及び上記第２のパラメータＮ２を上記第１のキャリア周波数とは異なる第２のキャリア周波数に関連付ける情報を含む。いくつかの実施形態において、上記第１のパラメータＮ１を上記第１のキャリア周波数に関連付ける上記情報は、上記第１のキャリア周波数の周波数チャネル番号を含む。いくつかの実施形態において、上記第２のパラメータＮ２を上記第２のキャリア周波数に関連付ける上記情報は、上記第２のキャリア周波数の周波数チャネル番号を含む。
【００８１】
いくつかの実施形態において、上記処理回路は、上記セル内で上記信号測定のために使用されるべきビームの上記最大数を判定するために、当該キャリア周波数に対応するパラメータＮを使用し、上記セル内で上記最大数までのビーム上で上記信号測定を実行する、ように動作可能である。
【００８２】
いくつかの実施形態において、上記処理回路は、第２のセル内で上記最大数までのビーム上で上記信号測定を実行する、ようにさらに動作可能である。
【００８３】
いくつかの実施形態において、上記処理回路は、上記信号測定に基づいて、上記セルの信号品質及び／又は信号強度を導出する、ようにさらに動作可能である。
【００８４】
いくつかの実施形態において、上記信号測定は、セル固有リファレンス信号の測定、同期信号の測定、又は無線リソース管理（ＲＲＭ）測定という種類の信号測定のうちの少なくとも１つを含む。
【００８５】
いくつかの実施形態において、キャリア周波数ごとの上記少なくとも１つのパラメータＮは、第１のキャリア周波数上で第１の種類の信号測定を実行するための第１のパラメータＮ１と、上記第１のキャリア周波数上で第２の種類の信号測定を実行するための第２のパラメータＮ２と、を含む。上記第２の種類の信号測定は、上記第１の種類の信号測定とは異なる。例えば、いくつかの実施形態において、上記第１のパラメータＮ１は、同期信号の測定を実行するために使用され、上記第２のパラメータＮ２は、セル固有リファレンス信号の測定を実行するために使用される。
【００８６】
いくつかの実施形態において、上記処理回路は、上記信号測定を、上記ネットワークノードへの報告、隣接ネットワークノードへの報告、他のワイヤレスデバイスへの報告、セルの変更、上記ワイヤレスデバイスの測位、ドライブテスト最小化の実行、及び／又は電力制御の実行というタスクのうちの１つ以上のために使用する、ようにさらに動作可能である。
【００８７】
いくつかの実施形態において、上記インタフェースは、特定のキャリア周波数に属するセルの集合内の全てのセルが同数のビームを有するかを示すインジケータを上記ネットワークノードから受信する、ようにさらに動作可能である。いくつかの実施形態において、上記インジケータが上記集合内の全てのセルが同数のビームを有することを示すことに応じて、上記処理回路は、上記集合内のいずれか１つのセルについて上記特定のキャリア周波数上のビーム数を検出し、上記集合内のその他のセルが上記特定のキャリア周波数上で同一のビーム数を有すると仮定する、ようにさらに動作可能である。いくつかの実施形態において、上記インジケータが上記集合内の上記セルが全て同数のビームを有するわけではないことを示すことに応じて、上記処理回路は、セルごとに、上記特定のキャリア周波数上のビーム数を、それぞれの上記セルからのシステム情報を読取ることにより検出する、ようにさらに動作可能である。
【００８８】
いくつかの実施形態において、上記インタフェースは、第１のキャリア周波数に属するセル上のビーム数が第２のキャリア周波数に属するセル上のビーム数と同一であるかを示すインジケータを上記ネットワークノードから受信する、ようにさらに動作可能である。いくつかの実施形態において、上記インジケータが上記第１のキャリア周波数に属するセル上のビーム数が上記第２のキャリア周波数に属するセル上のビーム数と同一であることを示すことに応じて、上記処理回路は、上記第１のキャリア周波数上のビーム数を検出し、上記第２のキャリア周波数が同一のビーム数を有すると仮定する、ようにさらに動作可能である。いくつかの実施形態において、上記インジケータが上記第１のキャリア周波数に属するセル上のビーム数が上記第２のキャリア周波数に属するセル上のビーム数と同一ではないことを示すことに応じて、上記処理回路は、上記第１のキャリア周波数上のビーム数を検出し、上記第２のキャリア周波数上のビーム数を検出する、ようにさらに動作可能である。
【００８９】
いくつかの実施形態において、キャリア周波数ごとの上記少なくとも１つのパラメータＮは、全てのワイヤレスデバイスに共通のシステム情報において受信される。
【００９０】
いくつかの実施形態において、キャリア周波数ごとの上記少なくとも１つのパラメータＮは、上記ワイヤレスデバイスへの専用シグナリングにおいて受信される。
【００９１】
いくつかの実施形態において、上記処理回路は、上記ワイヤレスデバイスを１つ以上のセル固有オフセットと共に構成する、ようにさらに動作可能である。各セル固有オフセットは、上記ワイヤレスデバイスが固有のセルの上記信号測定を実行する際に当該セル固有オフセットに従って上記少なくとも１つのパラメータＮの値を調整するように、上記固有のセルに関連付けられる。少なくとも１つのセル固有オフセットは、上記ネットワークノードのサービングセルに関連付けられ得る。少なくとも１つの上記セル固有オフセットは、他のネットワークノードの隣接セルに関連付けられ得る。上記隣接セルに関連付けられる上記セル固有オフセットは、上記サービングセルから受信され得る。１つ以上のセル固有オフセットは、キャリア周波数ごとに構成され得る。
【００９２】
いくつかの実施形態において、上記処理回路は、新たなセルの上記セル固有オフセットを検出し、上記新たなセルの上記セル固有オフセットを上記サービングセルへ報告する、ようにさらに動作可能である。
【００９３】
いくつかの実施形態において、上記処理回路は、上記ワイヤレスデバイスをＵＥ固有オフセットと共に構成する、ようにさらに動作可能である。上記ＵＥ固有オフセットは、上記ワイヤレスデバイスが上記ＵＥ固有オフセットに従って上記少なくとも１つのパラメータＮの値を調整するように、特定の上記ワイヤレスデバイスに関連付けられる。いくつかの実施形態において、上記処理回路は、上記ワイヤレスデバイスの上記ビーム形成ケイパビリティに基づいて、ＵＥ固有オフセットを判定する。いくつかの実施形態において、上記ＵＥ固有オフセットは、上記ネットワークノードから受信される。
【００９４】
いくつかの実施形態において、上記ネットワークノードは、サービングセルを含む。
【００９５】
いくつかの実施形態において、上記処理回路は、同一のキャリア周波数に属する各セル上での信号測定のために上記パラメータＮを使用する、ように動作可能である。
【００９６】
いくつかの実施形態において、上記処理回路は、マルチビームセルにおいて上記信号測定を実行する、ように動作可能である。
【００９７】
いくつかの実施形態において、上記ワイヤレスデバイスにより、測定オブジェクト（ＭｅａｓＯｂｊｅｃｔ）情報エレメントにおいて、上記ネットワークノードから上記Ｎのパラメータが受信される。
【００９８】
追加的な例が以下に要約される：
【００９９】
実施形態の第１のセットでは、ワイヤレスデバイスが発見すべきセルであって、セルベースのＲＲＭ測定を実行すべき当該セルに関連付けられる、キャリア周波数ごとの少なくとも１つのパラメータＮ（マルチビームセルにおいて信号測定（例えば、セル品質の導出）のためにワイヤレスデバイスにより使用されるべきビームの数）と共に上記ワイヤレスデバイスがネットワークノードにより構成される（即ち、シグナリングされる）、方法、装置、システム及びコンピュータプログラムプロダクトを提案する。上記方法は、上記ワイヤレスデバイスがサービングセル及び隣接セルに関連付けられるセル固有オフセットと共に構成される可能性をも含む。
【０１００】
実施形態の第２のセットでは、上記方法、装置、システム又はコンピュータプログラムプロダクトは、異なる複数のネットワークノードが相異なるキャリアにおけるＮについてのセル固有オフセットに関する情報を交換できることをも含む。
【０１０１】
実施形態の第３のセットでは、上記方法、装置、システム又はコンピュータプログラムプロダクトは、異なる複数のネットワークノードがそれぞれのセルにおいて使用されるビームの数に関する情報を交換できることをも含む。例えば、第１のネットワークノード（Ｎｏｄｅ１）は、第２のネットワークノード（Ｎｏｄｅ２）及び第３のネットワークノード（Ｎｏｄｅ３）からそれぞれパラメータＭ２及びＭ３を受信する。Ｍ２及びＭ３は、ｃｅｌｌ２及びｃｅｌｌ３において使用されるビームの数をそれぞれ示す。Ｎｏｄｅ１は、自身のパラメータ（Ｍ１、即ちｃｅｌｌ１におけるビームの数）と共に、Ｍ２及びＭ３を、キャリアＦ１上の全てのセルに共通のパラメータＮを導出するために使用する。一例として、Ｍ１、Ｍ２及びＭ３は、同一のキャリア周波数に関連付けられる。そして、Ｎｏｄｅ１は、キャリアＦ１に関連付けられるＮを、ｃｅｌｌ１内の少なくとも１つのワイヤレスデバイスへ送信する。
【０１０２】
実施形態の第４のセットでは、上記方法、装置、システム又はコンピュータプログラムプロダクトは、各ネットワークノードにより相異なるキャリアについて使用される上記パラメータＮ（マルチビームセルにおいて信号測定のために上記ワイヤレスデバイスにより使用されるべきビームの数）に関する情報を交換できることをも含む。例えば、第１のネットワークノード（Ｎｏｄｅ１）は、第２のネットワークノード（Ｎｏｄｅ２）及び第３のネットワークノード（Ｎｏｄｅ３）からパラメータＮ２及びＮ３を受信し、例えば自身のパラメータ（例えば、Ｎ１）の判定といった１つ以上の動作上のタスクのためにそれらを使用する。一例として、同一のキャリア周波数に関連付けられるＮ１、Ｎ２及びＮ３が、Ｎｏｄｅ１、Ｎｏｄｅ２及びＮｏｄｅ３によりそれぞれのセル内でそれぞれシグナリングされる。
【０１０３】
ある実施形態は、１つ以上の技術的利点を提供し得る。一例として、ある実施形態の技術的利点は、セルが複数のビームで発見のためのリファレンス信号を送信しているシナリオにおいてセル品質を導出できるようになるために、ワイヤレスデバイスが最小の構成しか要しないことである。ある実施形態では、隣接セルの知識が利用可能であり、それにより、ネットワークがセル固有のオフセットの形でパラメータを最適化する可能性を有することになる。ある実施形態は、これら利点のうちの全て若しくはいくつかを有してもよく、又はいずれも有しなくてもよい。当業者には他の利点が明白であろう。
【図面の簡単な説明】
【０１０４】
【図１】ある実施形態に係るハイブリッドビーム形成の一例を示している。
【図２】ある実施形態に係る２つのサブアレイ上での送信ビームスイーピングの一例を示している。
【図３】ある実施形態に係る３つのサブアレイ上での送信ビームスイーピングの一例を示している。
【図４】ある実施形態に係る同期信号（ＳＳ）ブロック、ＳＳバースト及びＳＳバーストセット／シリーズの構成の一例を示している。
【図５】ある実施形態に係るＬＴＥでのユーザ機器のフィルタリングモデルの一例を示している。
【図６】ある実施形態に係るＳＳバーストセットの相異なる構成の一例を示している。
【図７】ある実施形態に係るワイヤレスネットワークの一例を示している。
【図８】ある実施形態に係るワイヤレスデバイスの一例を示している。
【図９】ある実施形態に係るワイヤレスデバイス向けのコンポーネント群の一例を示している。
【図１０】ある実施形態に係るネットワークノードの一例を示している。
【図１１】ある実施形態に係るネットワークノード向けのコンポーネント群の一例を示している。
【図１２】ある実施形態に係るネットワークノードにおける使用のための方法の一例を示している。
【図１３】ある実施形態に係るワイヤレスデバイスにおける使用のための方法の一例を示している。
【図１４Ａ】ある実施形態に従ってワイヤレスデバイスがネットワークノードからキャリア周波数ごとに少なくとも１つのパラメータＮを受信する信号フローの例を示している。
【図１４Ｂ】ある実施形態に従ってワイヤレスデバイスがネットワークノードからキャリア周波数ごとに少なくとも１つのパラメータＮを受信する信号フローの例を示している。
【図１４Ｃ】ある実施形態に従ってワイヤレスデバイスがネットワークノードからキャリア周波数ごとに少なくとも１つのパラメータＮを受信する信号フローの例を示している。
【図１５】ある実施形態に従ってネットワークノードが特定のキャリア周波数上の全てのセルに共通的なパラメータＮを判定する信号フローの例を示している。
【図１６】ある実施形態に従ってネットワークノードが特定のキャリア周波数上の全てのセルに共通的なパラメータＮを判定する信号フローの例を示している。
【図１７】ある実施形態に従ってネットワークノードが特定のキャリア周波数に属するセルの集合内の全てのセルが同数のビームを有するかをワイヤレスデバイスへ示す信号フローの例を示している。
【図１８】ある実施形態に従ってネットワークノードが特定のキャリア周波数に属するセルの集合内の全てのセルが同数のビームを有するかをワイヤレスデバイスへ示す信号フローの例を示している。
【図１９】ある実施形態に従ってネットワークノードが第１のキャリア周波数に属するセル上のビーム数が第２のキャリア周波数に属するセル上のビーム数と同一であるかをワイヤレスデバイスへ示す信号フローの例を示している。
【図２０】ある実施形態に従ってネットワークノードが第１のキャリア周波数に属するセル上のビーム数が第２のキャリア周波数に属するセル上のビーム数と同一であるかをワイヤレスデバイスへ示す信号フローの例を示している。
【図２１】ある実施形態に従ってワイヤレスデバイスがＵＥ固有オフセットと共に構成される信号フローの例を示している。
【図２２】ある実施形態に係るセル固有オフセットに関連する信号フローの例を示している。
【図２３】ある実施形態に係るセル固有オフセットに関連する信号フローの例を示している。
【図２４】ある実施形態に係るセル固有オフセットに関連する信号フローの例を示している。
【発明を実施するための形態】
【０１０５】
いくつかの実施形態において、“ユーザ機器”（“ＵＥ”）という非限定的な用語が使用されている。ここでのＵＥは、ネットワークノード又は他のＵＥとの間で無線信号で通信可能な任意のタイプのワイヤレスデバイスであり得る。また、ＵＥは、無線通信デバイス、ターゲットデバイス、デバイスツーデバイス（Ｄ２Ｄ）ＵＥ、マシンタイプＵＥ若しくはマシンツーマシン通信（Ｍ２Ｍ）可能なＵＥ、ＵＥを具備するセンサ、ｉＰＡＤ、タブレット、移動端末、スマートフォン、ＬＥＥ（laptop  embedded  equipped）、ＬＭＥ（laptop  mounted  equipment）、ＵＳＢドングル、ＣＰＥ（Customer  Premises  Equipment）などであってもよい。
【０１０６】
また、いくつかの実施形態において、“ネットワークノード”という汎用的な用語が使用されている。それは、基地局、無線基地局、基地送受信局、基地局コントローラ、ネットワークコントローラ、ｇＮＢ、ＮＲ  ＢＳ、進化型ノードＢ（ｅＮＢ）、ノードＢ、マルチセル／マルチキャスト協調エンティティ（ＭＣＥ）、リレーノード、アクセスポイント、無線アクセスポイント、ＲＲＵ（Remote  Radio  Unit）、ＲＲＨ（Remote  Radio  Head）、マルチ標準ＢＳ（ＭＳＲ  ＢＳとしても知られる）、若しくはコアネットワークノード（例えば、モビリティ管理エンティティ（ＭＭＥ）、自己組織化ネットワーク（ＳＯＮ）ノード、協調ノード、測位ノード、ドライブテスト最小化（ＭＤＴ）ノードなど）といった、無線ネットワークノードから構成されてもよく、又は外部ノード（例えば、サードパーティノード、現ネットワークの外部のノード）などでさえあってよい、任意の種類のネットワークノードであり得る。ネットワークノードは、テスト機器をも含んでよい。
【０１０７】
ここで使用される“無線ノード”との用語は、ＵＥ又は無線ネットワークノードを表すために使用され得る。
【０１０８】
実施形態は、シングルキャリアだけでなくマルチキャリア又はＵＥのキャリアアグリゲーション（ＣＡ）動作に適用可能であり、ＣＡ動作では、ＵＥは、１つよりも多くのサービングセルとの間でデータを受信し及び／又は送信することができる。キャリアアグリゲーション（ＣＡ）との用語は、“マルチキャリアシステム”、“マルチセル動作”、“マルチキャリア動作”、“マルチキャリア”送信及び／又は受信とも呼ばれる（例えば、互換可能に呼ばれる）。ＣＡにおいて、コンポーネントキャリア（ＣＣ）のうちの１つは、プライマリコンポーネントキャリア（ＰＣＣ）であり、又は、単にプライマリキャリア、若しくはさらにいうとアンカーキャリアである。残りのものは、セカンダリコンポーネントキャリア（ＳＣＣ）と呼ばれ、又は、単にセカンダリキャリア、若しくはさらにいうと補助キャリアと呼ばれる。サービングセルは、互換可能にプライマリセル（ＰＣｅｌｌ）又はプライマリサービングセル（ＰＳＣ）と呼ばれる。同様に、セカンダリサービングセルは、互換可能にセカンダリセル（ＳＣｅｌｌ）又はセカンダリサービングセル（ＳＳＣ）と呼ばれる。
【０１０９】
ここで使用される“シグナリング”との用語は、（例えば、無線リソース制御（ＲＣＣ）などを介する）上位レイヤシグナリング、（例えば、物理制御チャネル若しくはブロードキャストチャネルを介する）下位レイヤシグナリング、又はそれらの組合せ、のうちの任意のものを含み得る。シグナリングは、暗黙的であっても明示的であってもよい。シグナリングは、さらに、ユニキャスト、マルチキャスト又はブロードキャストであってよい。また、シグナリングは、他のノードへ直接なされてもよく、又は第３ノードを介してなされてもよい。
【０１１０】
ここで使用される“無線測定”との用語は、無線信号について実行される任意の測定への言及であり得る。無線測定は、絶対的であっても相対的であってもよい。無線測定結果は、信号レベルと呼ばれてもよく、それは信号品質及び／又は信号強度であり得る。無線測定は、例えば、イントラ周波数、インター周波数、ＣＡなどであり得る。無線測定は、単方向（例えば、ダウンリンク（ＤＬ）若しくはアップリンク（ＵＬ））又は双方向（例えば、ラウンドトリップ時間（ＲＴＴ）、Ｒｘ−ＴＸなど）であり得る。無線測定のいくつかの例：タイミング測定（例えば、到来時刻（ＴＯＡ）、タイミングアドバンス、ＲＴＴ、リファレンス信号時間差（ＲＳＴＤ）、Ｒｘ−Ｔｘ、伝播遅延など）、角度測定（例えば、到来角）、電力ベースの測定（例えば、受信信号電力、リファレンス信号受信電力（ＲＳＲＰ）、受信信号品質、リファレンス信号受信品質（ＲＳＲＱ）、信号対干渉及び雑音比（ＳＩＮＲ）、信号対雑音比（ＳＮＲ）、干渉電力、総干渉及び雑音、受信強度信号インジケータ（ＲＳＳＩ）、雑音電力など）、セル検出若しくはセル識別、無線リンクモニタリング（ＲＬＭ）、システム情報（ＳＩ）読取りなど。
【０１１１】
ここで使用される測定性能との用語は、無線ノードにより実行される測定の性能を特徴付ける何らかの基準又はメトリックへの言及であってよい。また、測定性能との用語は、測定要件、測定性能要件などと呼ばれてもよい。無線ノードは、実行される測定に関連する１つ以上の測定性能基準を充足しなければならない。測定性能基準の例は、測定時間、その測定時間で測定されるべきセルの数、測定報告遅延、測定精度、参照値（例えば、理想的な測定結果）を基準とした測定精度などである。測定時間の例は、測定ピリオド、セル識別ピリオド、評価ピリオドなどである。
【０１１２】
ある実施形態において、ネットワークノードは、キャリア周波数ごとの共通のパラメータ（Ｎ）に関する情報をシグナリングし、それにより、示される対象のキャリア上の任意のセルでキャリア信号に対しＵＥが測定を実行することのできるビームの最大数がＵＥに通知される。
【０１１３】
パラメータＮに関連付けられるキャリア周波数に関する情報もまたＵＥに示される（即ち、シグナリングされる）。キャリア周波数に関する情報は、周波数チャネル番号の観点で表現され得る。周波数チャネル番号の例は、絶対無線周波数チャネル番号（ＡＲＦＣＮ）、ＮＡＲＦＣＮなどを含む。
【０１１４】
ネットワークノードは、複数のキャリア周波数（Ｆ１，Ｆ２，Ｆ２，…，Ｆ１ｍ）についての複数のパラメータ（例えば、Ｎ１１，Ｎ１２，Ｎ１３，…，Ｎ１ｍ）をＵＥにシグナリングしてもよい。例えば、パラメータＮ１１，Ｎ１２，Ｎ１３，…，Ｎ１ｍは、それぞれキャリア周波数Ｆ１，Ｆ２，Ｆ２，…，Ｆ１ｍに関連付けられる。
【０１１５】
ＵＥは、キャリアごとの１つ以上のビーム関連パラメータ（例えば、Ｎ１１）の受信後に、シグナリングされた当該パラメータに関連付けられるキャリア（例えば、Ｆ１）上で動作する１つ以上のセルの１つ以上のビーム上で１回以上の無線測定を実行するために当該ビーム関連パラメータを使用する。
【０１１６】
例えば、ネットワークノードがキャリアＦ１についてＮ＝８ビームをＵＥにシグナリングするものとする。すると、このケースにおいて、ＵＥは、（例えばセル品質、信号品質、信号強度などといった全体としてのセル測定値を例えば導出するために）キャリアＦ１に属する各セル上でＮ＝８個までのビームについて測定を実行することができることを前提とする。
【０１１７】
本実施形態の他の観点において、ネットワークノードは、具体的なキャリアに属する全てセルが同一のビーム数を有するのか否かのインジケータをシグナリングする。全てのセルにおいてビーム数が同一の場合には、ＵＥは、そのキャリアの任意の１つのセルについて（例えば、そのシステム情報を読取ること、又はビームを盲目的に検出することなどにより）ビーム数を判定し、残りのセルについて同一のビーム数を仮定する。そうでない場合には、ＵＥは、例えば各セルのシステム情報（ＳＩ）を読取ることにより、各セルについてビームに関する情報を取得しなければならないであろう。
【０１１８】
本実施形態のまた別の観点において、ネットワークノードは、具体的なキャリア上のセルの集合（例えば、隣接セル群、あるキャリアの全セル）のビーム数がリファレンスセルのビーム数と同一であるか否かのインジケータをシグナリングする。リファレンスセルの例は、サービングセルである。同一のキャリア上のセルの集合においてビーム数がリファレンスセルのビーム数と同一の場合には、ＵＥは、リファレンスセルのビーム数を（例えば、そのシステム情報を読取ること、又はビームを盲目的に検出することなどにより）判定し、残りのセルについて同一のビーム数を仮定する。そうでない場合には、ＵＥは、例えば各セルのＳＩを読取ることにより、各セルについてビームに関する情報を取得しなければならないであろう。
【０１１９】
本実施形態のまた別の観点において、ネットワークノードは、具体的なキャリア（例えば、Ｆ２）に属するセル上のビーム数があるリファレンスキャリアＦ１に属するセル上のビーム数と同一であるか否かのインジケータをシグナリングする。例として、Ｆ１＝ＰＣｅｌｌのキャリアであり、Ｆ２＝ＳＣｅｌｌのキャリアである。他の例において、Ｆ１＝ＰＣｅｌｌのキャリアであり、Ｆ２はインター周波数キャリアであり得る。
【０１２０】
ネットワークノードは、（例えば、全てのＵＥに共通の）システム情報において、及び／又は、（例えば、専用チャネル上で）ＵＥ固有のメッセージにおいて（上述したような）情報をシグナリングしてもよい。上記情報は、下位レイヤ（例えば、Ｌ１チャネル、メディアアクセス制御（ＭＡＣ）コマンド）を用いて、又は上位レイヤ（例えば、ＲＲＣメッセージなど）を用いて送信され得る。
【０１２１】
第１の実施形態の上記派生の全てにおいて、ＵＥは、パラメータＮに関連付けられるキャリアの１つ以上のセルの１つ以上のビーム上で１回以上の測定を実行するために、キャリア周波数ごとのＮの判定した値を使用する。実行される測定は、ＵＥにより１つ以上の動作上のタスクのために使用される。タスクの例は、ネットワークノード（例えば、サービングセル）若しくは（例えば、Ｄ２Ｄ動作、Ｖ２Ｖ（vehicle-to-vehicle）動作、Ｖ２Ｘ（vehicle-to-anything）動作などが可能な）他のＵＥへの測定結果の報告、セル変更（例えば、ハンドオーバ（ＨＯ）、セル選択、セル再選択、ＲＲＣ再確立、リダイレクションを伴うＲＲＣ接続解放など）のための上記結果の使用、ＵＥの測位、ドライブテストの最小化（ＭＤＴ）、電力制御の実行用などである。これが以下でさらに説明される。
【０１２２】
上記方法は、ＵＥがネットワークによりキャリア周波数ごとに定義されるパラメータＮと共に構成されることを含み、ここでＮは、各セルが同期信号及び／又はリファレンス信号を複数のビームにおいて送信するシナリオにおいてセル品質を導出するためにＵＥにより使用されるべきビームの数であり、これはＮＲで複数のビームにおいてＳＳブロックセットが送信されるケースと同様であって、その際に各ビームがいわゆるＳＳブロックを送信する。
【０１２３】
構成される各キャリア周波数について、ＵＥはセルを求めて探索を行うものとされ、検出したセルについて、ＵＥはキャリアごとに構成されるパラメータＮを用いてセル品質を導出するものとされる。よって、ＵＥは、Ｎ＝５で構成された所与のキャリア−１について７つのセルを見付けた場合、そのキャリアの範囲内で全てのセルについて５つのビームを考慮してセル品質値を導出すべきである。
【０１２４】
本開示のまた別の観点において、ネットワークノードは、キャリアごとのパラメータＮ（又は、対応するキャリアＦ１，Ｆ２，…，ＦｎについてそれぞれＮ１１，Ｎ１２，…，Ｎ１ｎである複数のパラメータ）をシグナリングする前に、１つ以上の基準に基づいて共通のパラメータＮを導出する。これが以下で複数の例と共に説明される。
【０１２５】
１つの例において、ネットワークノードは、１つ以上の隣接セルにおいて使用されるビームの数に関する情報を取得する。ネットワークノードは、上記情報を、（例えば、ネットワークノード内に記憶される）予め定義される情報、他のネットワークノードから（例えば、隣接ネットワークノードから）受信される情報、若しくはＵＥからの情報に基づいて、又は他のセルにおいて使用されるアンテナ構成などに基づいて取得し得る。そして、ＵＥは、取得された上記情報に基づいて、共通のパラメータＮを導出し得る。これが以下で一例と共に説明される。
【０１２６】
ネットワークノードが同一のキャリア（Ｆ１）上で動作する“ｋ”個のセル、即ち、ｃｅｌｌ１，ｃｅｌｌ２，ｃｅｌｌ３，…，ｃｅｌｌｋにおいてそれぞれ使用されるビームＭ１，Ｍ２，Ｍ３，…，Ｍｋの数に関する情報を取得するものとする。一例として、共通のパラメータＫは、次の関数を使用することにより導出される。
【０１２７】
Ｎ＝Ｆ（Ｍ１，Ｍ２，Ｍ３，…，Ｍｋ）
関数Ｆ（）の例は、最大、最小、平均、第Ｘパーセンタイルなどである。
【０１２８】
典型的には、これにより、各キャリアについてのＮの１つの共通的な値を導出するために、ネットワークノード（例えば、ｇＮＢ）が自身のセルビーム情報を交換することを要することになる。その情報は、ｅＮＢとｇＮＢとの間で交換されてもよく、又は任意のタイプのネットワークノードの間で交換されてもよい。
【０１２９】
上記方法は、ＵＥにｉ番目のセルごとのセル固有のＮＣＳ（ｉ）個のオフセット値を提供する可能性をも含む。その具体的なケースにおいて、ＵＥは、Ｎｆ（ｊ）で構成されたキャリア内のセルを一度検出すると、Ｎ＝Ｎｆ（ｊ）＋ＮＣＳ（ｉ）であると仮定するものとする。なお、ＵＥを、Ｎ＝Ｎｆ（ｊ）＋ＮＣＳ（ｉ）＋ＮＵＥとなるようにＵＥ固有のオフセットと共に構成することもでき、その場合、ネットワークはＵＥのビーム形成ケイパビリティに基づいてその構成を行い得る。
【０１３０】
上記方法は、ネットワークノードが他のネットワークノードに所与のキャリア内のセルのためのＮについてのセル固有オフセットを求めることをも含む。これは、ノード間インタフェース確立手続の一部として交換されてもよく、その場合、ノードがキャリアごとに定義されるセルを通知する際に、そのＮのセルオフセットパラメータを含め得る。そして、セルオフセットパラメータは、それらノードのうちの１つがＵＥをセル品質に基づく測定を実行するように構成する際に使用され得る。
【０１３１】
また、ＵＥの方法は、オフセットが提供されていないセルをＵＥが検出することと、ＵＥが検出したその隣接セルのブロードキャストされるシステム情報においてセル固有のＮパラメータを読取ることと、自身のサービングノードへ折返し報告を行うことと、を含む。それは、既定の手続であってもよく、並びに／又は、ＵＥがキャリア別のＮの値に基づいて新たに発見したセルと共に測定報告を送信し、その新たなセルが隣接セルリストに無いこと及び／若しくはそのセルについてセル固有オフセットを有しないことをネットワークが検出した後に上記構成が行われるという、トリガ型の手続であってもよい。なお、ネットワークは、具体的なセルに関連付けられる障害報告（例えば、無線リンク障害（ＲＬＦ）報告、ＨＯ障害など）がＵＥにより報告される場合、及び／又はセルベースの統計がそれを示す場合など、必要とされる場合にのみ、上記手続をトリガすることを選択し得る。
【０１３２】
図７は、ある実施形態に係る一例としてのワイヤレスネットワークを示すブロック図である。ワイヤレスネットワークは、（非限定的な用語であるユーザ機器（ＵＥ）と互換可能に言及され得る）ワイヤレスデバイス１０Ａ−１０Ｎと、無線ネットワークノード２０Ａ−２０Ｂなどの複数のネットワークノード（例えば、ｅＮＢ、ｇＮＢ、基地局など）と、相互接続ネットワーク２５を介して通信し得る１つ以上のコアネットワークノード３０とを含む。カバレッジエリア１５内のワイヤレスデバイス１０は、各々ワイヤレスインタフェース上で無線ネットワークノード２０と直接的に通信可能であり得る。ある実施形態では、複数のワイヤレスデバイスが、デバイスツーデバイス（Ｄ２Ｄ）通信を介して互いに通信可能でもあり得る。
【０１３３】
一例として、ワイヤレスデバイス１０Ａは、ワイヤレスインタフェース上で無線ネットワークノード２０Ａと通信し得る。即ち、ワイヤレスデバイス１０Ａは、無線ネットワークノード２０Ａとの間でワイヤレス信号を送信し及び/又は受信し得る。ワイヤレス信号は、音声トラフィック、データトラフィック、制御信号及び/又は任意の他の適した情報を含み得る。いくつかの実施形態において、無線ネットワークノード２０に関連付けられるワイヤレス信号カバレッジのエリアは、セル１５として言及され得る。
【０１３４】
ワイヤレスデバイス１０は、無線ネットワークノード２０又は他のワイヤレスデバイス／ＵＥ１０との間で無線信号で通信可能な任意のタイプのワイヤレスデバイスであり得る。同様に、無線ネットワークノード２０は、ワイヤレスデバイス１０又は他のネットワークノードとの間で通信可能な任意の種類の無線ネットワークノードであり得る。例えば、ネットワークノードとの用語は、無線ネットワークノード２０、コアネットワークノード３０、又はさらに言うと外部ノード（例えば、サードパーティノード、現ネットワークの外部のノード）などへの言及であってもよい。ワイヤレスデバイス１０の例示的な実施形態が、図８及び図９に関して以下でより詳細に説明される。無線ネットワークノード２０の例示的な実施形態が、図１０及び図１１に関して以下で議論される。
【０１３５】
ある実施形態において、無線ネットワークノード２０は、無線ネットワークコントローラとインタフェースし得る。無線ネットワークコントローラは、無線ネットワークノード２０を制御し、ある無線リソース管理機能、モビリティ管理機能、及び／又は他の適した機能を提供し得る。ある実施形態において、無線ネットワークコントローラの機能は、無線ネットワークノード２０に含まれてもよい。無線ネットワークコントローラは、コアネットワークノード３０とインタフェースしてもよい。ある実施形態において、無線ネットワークコントローラは、相互接続ネットワーク２５を介してコアネットワークノード３０とインタフェースしてもよい。
【０１３６】
相互接続ネットワーク２５は、音声、映像、信号、データ、メッセージを送信可能な任意の相互接続システム又は前述したものの任意の組合せへの言及であり得る。相互接続ネットワーク１２５は、ＰＳＴＮ（public  switched  telephone  network）、パブリック若しくはプライベートデータネットワーク、ＬＡＮ（local  area  network）、ＭＡＮ（metropolitan  area  network）、ＷＡＮ（wide  area  network）、ローカル、リジョナル、若しくはインターネットなどのグローバルな通信若しくはコンピュータネットワーク、有線回線若しくはワイヤレスネットワーク、企業のイントラネット、又は、それらの組合せを含む任意の他の適した通信リンク、の全て若しくは一部を含み得る。
【０１３７】
いくつかの実施形態において、コアネットワークノード３０は、通信セッションの確立及び他の多様なワイヤレスデバイス１０向けの機能性を管理し得る。コアネットワークノード３０の例は、ＭＳＣ（mobile  switching  center）、ＭＭＥ、ＳＧＷ（serving  gateway）、ＰＧＷ（packet  data  network  gateway）、Ｏ＆Ｍ（operation  and  maintenance）、ＯＳＳ（operations  support  system）、ＳＯＮ、測位ノード（例えば、Ｅ−ＳＭＬＣ（Enhanced  Serving  Mobile  Location  Center））、ＭＤＴノードなどを含み得る。ワイヤレスデバイス１０は、ＮＡＳ（non-access  stratum）レイヤを用いて、コアネットワークノードとの間である信号を交換し得る。ＮＡＳ（non-access  stratum）シグナリングにおいて、ワイヤレスデバイス１０とコアネットワークノード３０との間の信号は、無線アクセスネットワークを透過的に通過し得る。ある実施形態において、無線ネットワークノード２０は、ノード間インタフェース上で１つ以上のネットワークノードとインタフェースし得る。例えば、無線ネットワークノード２０Ａ及び２０Ｂは、Ｘ２インタフェース又はその進化版上でインタフェースしてもよい。
【０１３８】
図７はネットワークの具体的な配置を示しているものの、本開示について、ここで説明される多様な実施形態は任意の適した構成を有する種々のネットワークに当てはまり得るものと考えられる。例えば、ワイヤレスネットワークは、いかなる適した数のワイヤレスデバイス１０及び無線ネットワークノード２０を含んでもよく、加えて、ワイヤレスデバイス間又はワイヤレスデバイスと（固定電話などの）他の通信デバイスとの間の通信をサポートするために適したいかなる追加的なエレメントをも含んでもよい。実施形態は、任意の適した通信標準をサポートし及び任意の適したコンポーネントを用いるいかなる適切なタイプの電気通信システムに実装されてもよく、ワイヤレスデバイスが信号（例えば、データ）を受信し及び／又は送信する任意の無線アクセス技術（ＲＡＴ）システム若しくはマルチＲＡＴシステムに適用可能である。
【０１３９】
図８は、本開示のある実施形態に係るワイヤレスデバイス１０のブロック図である。ワイヤレスデバイス１０は、例えば上述したワイヤレスデバイス（又はＵＥ）に相当し得る。ワイヤレスデバイス１０は、ワイヤレスインタフェース１２、処理回路１４及びメモリ１６を含む。ワイヤレスインタフェース１２は、図１〜図７に関連して上述したような何らかの受信機及び送信機のケイパビリティを有する送受信機を含んでもよい。いくつかの実施形態において、ワイヤレスインタフェース１２は、無線ネットワークノード２０との間での（例えば、アンテナを介する）ワイヤレス信号の送信及びワイヤレス信号の受信を促進し、処理回路１４は、ワイヤレスデバイス１０により提供されるものとしてここで説明した機能性のいくつか又は全てを提供するための命令群を実行し、メモリ１６は、処理回路１４による実行のための命令群を記憶する。
【０１４０】
処理回路１４は、命令を実行し及びデータを操作して、上述したワイヤレスデバイス１０（又はＵＥ）の機能といった、ワイヤレスデバイス１０（又はＵＥ）の説明した機能のいくつか又は全てを実行するための、ハードウェアと、１つ以上のモジュールに実装されるソフトウェアとの任意の適した組合せを含み得る。いくつかの実施形態において、処理回路１４は、例えば、１つ以上のコンピュータ、１つ以上のＣＰＵ（central  processing  unit）、１つ以上のマイクロプロセッサ、１つ以上のアプリケーション、１つ以上のＡＳＩＣ（application  specific  integrated  circuit）、１つ以上のＦＰＧＡ（field  programmable  gate  array）及び／又は他のロジックを含んでもよい。ある実施形態において、処理回路１４は、図９に関して以下で議論されるモジュールのうちの１つ以上を含んでもよい。
【０１４１】
メモリ１６は、概して、コンピュータプログラム、ソフトウェア、ロジック、ルール、アルゴリズム、コード、テーブルなどのうちの１つ以上を含むアプリケーション、及び／又は処理回路１４により実行可能な他の命令群、といった命令群を記憶するように動作可能である。メモリの例は、コンピュータメモリ（例えば、ランダムアクセスメモリ（ＲＡＭ）若しくは読取り専用メモリ（ＲＯＭ））、大容量記憶媒体（例えば、ハードディスク）、リムーバブル記憶媒体（例えば、コンパクトディスク（ＣＤ）若しくはデジタルビデオディスク（ＤＶＤ））、並びに／又は、ワイヤレスデバイス１０のプロセッサにより使用され得る情報、データ及び／若しくは命令群を記憶する任意の他の揮発性若しくは不揮発性の非一時的なコンピュータ読取可能な及び／若しくはコンピュータ実行可能なメモリデバイスを含む。
【０１４２】
ワイヤレスデバイス１０の他の実施形態は、（上述した解決策をサポートするために必要とされる任意の機能性を含む）上述した機能性のいずれか及び／又は何らかの追加的な機能性を含むワイヤレスデバイスの機能性の何らかの観点を提供することに責任を有し得る、図８に示したもの以外の追加的なコンポーネントを含んでもよい。単なる１つ例として、ワイヤレスデバイス１０は、入力デバイス及び回路、出力デバイス、並びに１つ以上の同期ユニット又は回路を含んでもよく  これらはプロセッサの一部であってもよい。入力デバイスは、ワイヤレスデバイス１０へデータを入力するための仕組みを含む。例えば、入力デバイスは、マイクロフォン、入力エレメント、ディスプレイなどといった入力の仕組みを含んでもよい。出力デバイスは、データを音声、映像、及び／又はハードコピーのフォーマットで出力するための仕組みを含んでもよい。例えば、出力デバイスは、スピーカ、ディスプレイなどを含んでもよい。
【０１４３】
図９は、本開示のある実施形態に係るワイヤレスデバイス１０に含まれ得るモジュールの例を示すブロック図である。ある実施形態において、ワイヤレスデバイスは、受信モジュール９１、通信モジュール９２、判定モジュール９３、入力モジュール９４、表示モジュール９５及び／又は他の適したモジュールのうちの任意の１つ以上を含み得る。それらモジュールの機能性は、任意の適したやり方で、単一のコンポーネントに統合されてもよく、又は複数のコンポーネントに分離されてもよい。ある実施形態において、上記モジュールのうちの１つ以上は、図８に関して説明した処理回路１４を用いて実装されてもよい。
【０１４４】
判定モジュール９３は、（上述した実施形態をサポートするＵＥの機能性のうちの任意のものを含む）ワイヤレスデバイス１０の処理機能を実行し得る。１つの例として、判定モジュール９３は、ネットワークノードから受信されるキャリアごとの１つ以上のビーム関連パラメータに基づいて無線測定を実行すべきビームを判定してもよい。例えば、判定モジュール９３は、ネットワークノードから受信されるパラメータに関連付けられるキャリア（例えば、Ｆ１）上で動作する１つ以上のセルの１つ以上のビーム上で１回以上の無線測定を実行するために当該ビーム関連パラメータを使用してもよい。
【０１４５】
判定モジュール９３は、図８に関連して上述した処理回路１４などの１つ以上のプロセッサを含んでもよく、それらに含まれてもよい。判定モジュール９３は、判定モジュール９３及び／又は上述した処理回路１４の機能のうちの任意のものを実行するように構成されるアナログ及び／又はデジタル回路を含み得る。上述した判定モジュール９３の機能は、ある実施形態において、１つ以上の別々のモジュールにて実行されてもよい。
【０１４６】
通信モジュール９２は、ワイヤレスデバイス１０の送信機能を実行し得る。１つの例として、通信モジュール９２は、ネットワークノードへ無線測定値を報告し得る。通信モジュール９２は、図８に関連して上述したワイヤレスインタフェース１２などの送信機及び／又はワイヤレスインタフェースを含み得る。通信モジュール９２は、メッセージ及び／又は信号をワイヤレスに送信するように構成される回路を含み得る。具体的な実施形態において、通信モジュール９２は、判定モジュール９３から送信用のメッセージ及び／又は信号を受け付け得る。ある実施形態において、上述した通信モジュール９３の機能は、１つ以上の別々のモジュールにて実行されてもよい。
【０１４７】
受信モジュール９１は、ワイヤレスデバイス１０の受信機能を実行し得る。例えば、受信モジュール９１は、キャリアごとのビーム関連パラメータ（例えば、Ｎ１１）を受信し得る。受信モジュール９１は、図８に関連して上述したワイヤレスインタフェース１２などの受信機及び／又はワイヤレスインタフェースを含み得る。受信モジュール９１は、メッセージ及び／又は信号をワイヤレスに受信するように構成される回路を含み得る。具体的な実施形態において、受信モジュール９１は、受信したメッセージ及び／又は信号を判定モジュール９３へ通信し得る。上述した受信モジュール９１の機能は、ある実施形態において、１つ以上の別々のモジュールにて実行されてもよい。
【０１４８】
入力モジュール９４は、ワイヤレスデバイス１０に対するユーザ入力を受け付け得る。例えば、入力モジュールは、キーの押下、ボタンの押下、タッチ、スワイプ、音声信号、映像信号及び／又は任意の他の適切な信号を受け付け得る。入力モジュールは、１つ以上のキー、ボタン、スイッチ、タッチスクリーン、マイクロフォン及び／又はカメラを含み得る。入力モジュールは、受け付けた信号を判定モジュール９３へ通信し得る。上述した入力モジュール９４の機能は、ある実施形態において、１つ以上の別々のモジュールにて実行されてもよい。
【０１４９】
表示モジュール９５は、ワイヤレスデバイス１０のディスプレイ上に信号を提示し得る。表示モジュール９５は、上記ディスプレイ、並びに／又は、当該ディスプレイ上に信号を提示するように構成される任意の適切な回路及びハードウェアを含み得る。表示モジュール９５は、判定モジュール９３からディスプレイ上で提示すべき信号を受け付け得る。上述した表示モジュール９５の機能は、ある実施形態において、１つ以上の別々のモジュールにて実行されてもよい。
【０１５０】
判定モジュール９３、通信モジュール９２、受信モジュール９１、入力モジュール９４、及び表示モジュール９５は、ハードウェア及び／又はソフトウェアのいかなる適した構成を含んでもよい。ワイヤレスデバイス１０は、（ここで説明した多様な解決策をサポートするために必要とされる任意の機能性を含む）上述した機能性のいずれか及び／又は何らかの追加的な機能性を含む任意の適した機能性を提供することに責任を有し得る、図９に示したもの以外の追加的なモジュールを含んでもよい。
【０１５１】
図１０は、本開示のある実施形態に係るネットワークノード（例えば、無線ネットワークノード２０）のブロック図である。上で議論したように、無線ネットワークノード２０は、ネットワークノードの１つの例である。無線ネットワークノード２０は、ワイヤレスインタフェース２２、処理回路２４、メモリ２６及びネットワークインタフェース２８のうちの１つ以上を含み得る。ワイヤレスインタフェース２２は、受信機及び送信機のケイパビリティを有する送受信機を含み得る。いくつかの実施形態において、ワイヤレスインタフェース２２は、ワイヤレスデバイス１０との間での（例えば、アンテナを介する）ワイヤレス信号の送信及びワイヤレス信号の受信を促進し、処理回路２４は、無線ネットワークノード２０により提供されるものとして（若しくは、より一般にネットワークノードにより提供されるものとして）上で説明した機能性のいくつか又は全てを提供するための命令群を実行し、メモリ２６は、処理回路２４による実行のための命令群を記憶し、ネットワークインタフェース２８は、ゲートウェイ、スイッチ、ルータ、インターネット、ＰＳＴＮ（Public  Switched  Telephone  Network）、コアネットワークノード３０又は無線ネットワークコントローラといったバックエンドのネットワークコンポーネントに対し信号を通信する。
【０１５２】
処理回路２４は、上述したもののような、無線ネットワークノード２０の（又は、より一般にネットワークノードの）説明した機能のうちのいくつか又は全てを実行するために命令群を実行し及びデータを操作するためのハードウェア及び１つ以上のモジュールに実装されるソフトウェアの任意の適した組合せを含み得る。一例として、処理回路２４は、命令群を実行し及びデータを操作して、上述した方法のいずれかを実行してもよく、それは、ネットワークノードがキャリア周波数ごとに少なくとも１つのパラメータＮを判定し（パラメータＮは、セル内の信号測定のためにワイヤレスデバイスにより使用されるべきビームの最大数を示す）、及び当該パラメータＮをワイヤレスデバイスへ通信するという方法などである。いくつかの実施形態において、処理回路２４は、例えば、１つ以上のコンピュータ、１つ以上のＣＰＵ（central  processing  unit）、１つ以上のマイクロプロセッサ、１つ以上のアプリケーション、１つ以上のＡＳＩＣ（application  specific  integrated  circuit）、１つ以上のＦＰＧＡ（field  programmable  gate  array）及び／又は他のロジックを含んでもよい。ある実施形態において、処理回路２４は、図１１に関して以下で議論されるモジュールのうちの１つ以上を含んでもよい。
【０１５３】
メモリ２６は、概して、コンピュータプログラム、ソフトウェア、ロジック、ルール、アルゴリズム、コード、テーブルなどのうちの１つ以上を含むアプリケーション、及び／又は処理回路２４により実行可能な他の命令群、といった命令群を記憶するように動作可能である。メモリ２６の例は、コンピュータメモリ（例えば、ランダムアクセスメモリ（ＲＡＭ）若しくは読取り専用メモリ（ＲＯＭ））、大容量記憶媒体（例えば、ハードディスク）、リムーバブル記憶媒体（例えば、コンパクトディスク（ＣＤ）若しくはデジタルビデオディスク（ＤＶＤ））、並びに／又は情報を記憶する任意の他の揮発性若しくは不揮発性の非一時的なコンピュータ読取可能な及び／若しくはコンピュータ実行可能なメモリデバイスを含む。
【０１５４】
いくつかの実施形態において、ネットワークインタフェース２８は、処理回路２４へ通信可能に連結されており、無線ネットワークノード２０向けの入力を受信し、無線ネットワークノード２０からの出力を送信し、当該入力、出力若しくは双方の適した処理を実行し、他のデバイスへ通信し、又はそれらの任意の組合せを行うように動作可能な、任意の適したデバイスへの言及であってよい。ネットワークインタフェース２８は、ネットワークを通じて通信するための、プロトコル変換及びデータ処理のケイパビリティを含む、適切なハードウェア（例えば、ポート、モデム、ネットワークインタフェースカードなど）及びソフトウェアを含み得る。
【０１５５】
ネットワークノード２０の他の実施形態は、（上述した解決策をサポートするために必要とされる任意の機能性を含む）上述した機能性のいずれか及び／又は何らかの追加的な機能性を含むアクセスノードの機能性の何らかの観点を提供することに責任を有し得る、図１０に示したもの以外の追加的なコンポーネントを含んでもよい。多様な様々なタイプのアクセスノードが、同一の物理的なハードウェアを有するコンポーネントを備えてもよいが、相異なる無線アクセス技術を（例えば、プログラミングを介して）サポートするように構成されてもよく、又は部分的に若しくは全体的に異なる物理的なコンポーネントを表してもよい。
【０１５６】
図１０に関して説明したものと同様のプロセッサ２４、インタフェース２２、２５及び／又は２８、並びにメモリ２６が、（コアネットワークノード３０といった）他のネットワークノード内に含まれてもよい。他のネットワークノードは、オプションとして、（図１０において説明したワイヤレスインタフェース２２のような）ワイヤレスインタフェースを含んでも含まなくてもよい。
【０１５７】
図１１は、本開示のある実施形態に係る無線ネットワークノード２０又はコアネットワークノード３０といったネットワークノードに含まれ得るモジュールの例を示すブロック図である。ある実施形態において、無線ネットワークノード２０は、受信モジュール１１０２、通信モジュール１１０４、判定モジュール１０６及び／又は他の適したモジュールのうちの任意の１つ以上を含み得る。それらモジュールの機能性は、任意の適したやり方で、単一のコンポーネントに統合されてもよく、又は複数のコンポーネントに分離されてもよい。ある実施形態において、上記モジュールのうちの１つ以上は、図１０に関して説明した処理回路２４を用いて実装されてもよい。
【０１５８】
判定モジュール１１０６は、（上述した実施形態をサポートするネットワークノードの機能性のうちの任意のものを含む）ネットワークノード２０の処理機能を実行し得る。１つの例として、判定モジュール１１０６は、キャリア周波数ごとの共通のパラメータ（Ｎ）に関する情報を判定し、その情報が、示される対象のキャリア上の任意のセルでキャリア信号に対しＵＥが測定を実行することのできるビームの最大数についてＵＥへの通知をなす。
【０１５９】
判定モジュール１１０６は、図１０に関連して上述した処理回路２４などの１つ以上のプロセッサを含んでもよく、それらに含まれてもよい。判定モジュール１１０６は、判定モジュール１１０６及び／又は上述した処理回路２４の機能のうちの任意のものを実行するように構成されるアナログ及び／又はデジタル回路を含み得る。上述した判定モジュール１１０６の機能は、ある実施形態において、１つ以上の別々のモジュールにて実行されてもよい。
【０１６０】
通信モジュール１１０４は、ネットワークノード２０の送信機能を実行し得る。１つの例として、通信モジュール１１０４は、キャリア周波数ごとの共通のパラメータ（Ｎ）に関する情報を送信し、その情報が、示される対象のキャリア上の任意のセルでキャリア信号に対しＵＥが測定を実行することのできるビームの最大数についてＵＥへの通知をなす。通信モジュール１１０４は、図１０に関連して上述したワイヤレスインタフェース２２などの送信機及び／又はワイヤレスインタフェースを含み得る。他の例として、通信モジュール１１０４は、相異なるキャリアでのＮについてのセル固有オフセットに関する情報といった情報を他のネットワークノード２０へ送信してもよい。通信モジュール１１０４は、図１０に関連して上述したインタフェース２８などのネットワークインタフェースを含み得る。通信モジュール１１０４は、無線及び／若しくは有線のメッセージ並びに／又は信号を送信するように構成される回路を含み得る。具体的な実施形態において、通信モジュール１１０４は、判定モジュール１１０４から送信用のメッセージ及び／又は信号を受け付け得る。ある実施形態において、上述した通信モジュール１１０６の機能は、１つ以上の別々のモジュールにて実行されてもよい。
【０１６１】
受信モジュール１１０２は、ネットワークノード２０の受信機能を実行し得る。例えば、受信モジュール１１０２は、ワイヤレスデバイス１０から測定報告を受信し得る。受信モジュール１１０２は、図１０に関連して上述したワイヤレスインタフェース２２などの受信機及び／又はワイヤレスインタフェースを含み得る。他の例として、受信モジュールは、相異なるキャリアでのＮについてのセル固有オフセットに関する情報といった情報を他のネットワークノード２０から受信してもよい。受信モジュール１１０２は、図１０に関連して説明したインタフェース２８などのネットワークインタフェースを含み得る。受信モジュール１１０２は、無線及び／若しくは有線のメッセージ並びに／又は信号を受信するように構成される回路を含み得る。具体的な実施形態において、受信モジュール１１０２は、受信したメッセージ及び／又は信号を判定モジュール１１０６へ通信し得る。上述した受信モジュール１１０２の機能は、ある実施形態において、１つ以上の別々のモジュールにて実行されてもよい。
【０１６２】
以下は、実施形態の追加的な例を提供する。それら例は、上で議論したコンポーネントのどれを用いて実装されてもよく、上で議論した任意の他の実施形態といかなる適したやり方で組み合わさせてもよい。例示的な実施形態１及び１０は、図１２及び図１３にそれぞれ示されている。
【０１６３】
＜１＞
ネットワークノードにおける使用のための方法であって、
キャリア周波数ごとに少なくとも１つのパラメータＮを判定すること（１２０２）であって、前記パラメータＮは、マルチビームセル内での信号測定のためにワイヤレスデバイスにより使用されるべきビームの数を示す、前記判定することと、
前記パラメータＮを前記ワイヤレスデバイスへ通信すること（１２０４）と、を含む方法。
【０１６４】
＜２＞
例示的な実施形態１の方法であって、
１つ以上の他のネットワークノードから、異なる複数のキャリアにおけるパラメータＮについてのセル固有オフセットに関する情報を受信することと、
受信した前記情報を前記パラメータＮを判定する際に使用することと、をさらに含む、方法。
【０１６５】
＜３＞
例示的な実施形態１の方法であって、
１つ以上の他のネットワークノードから、各ネットワークノードのそれぞれのセル内で使用されるビーム数に関する情報を受信することと、
キャリア上の全てのセルについての共通的なパラメータＮを判定するために、受信した前記情報と、前記ネットワークノードの自身のセル内で使用されるビーム数に関する情報とを使用することと、をさらに含む、方法。
【０１６６】
＜４＞
ネットワークノード（２０）であって、
キャリア周波数ごとに少なくとも１つのパラメータＮを判定するように動作可能な処理回路（２４）であって、前記パラメータＮは、マルチビームセル内での信号測定のためにワイヤレスデバイス（１０）により使用されるべきビームの数を示す、前記処理回路と、
前記パラメータＮを前記ワイヤレスデバイスへ通信するように動作可能なインタフェース（２５）と、を備えるネットワークノード。
【０１６７】
＜５＞
例示的な実施形態４のネットワークノードであって、
１つ以上の他のネットワークノードから、異なる複数のキャリアにおけるパラメータＮについてのセル固有オフセットに関する情報を受信し、
受信した前記情報を前記パラメータＮを判定する際に使用する、ようにさらに動作可能である、ネットワークノード。
【０１６８】
＜６＞
例示的な実施形態４のネットワークノードであって、
１つ以上の他のネットワークノードから、各ネットワークノードのそれぞれのセル内で使用されるビーム数に関する情報を受信し、
キャリア上の全てのセルについての共通的なパラメータＮを判定するために、受信した前記情報と、前記ネットワークノードの自身のセル内で使用されるビーム数に関する情報とを使用する、ようにさらに動作可能である、ネットワークノード。
【０１６９】
＜７＞
非一時的なコンピュータ読取可能な記憶媒体（２６）を備えるコンピュータプログラムプロダクトであって、前記媒体内に具現化されたコンピュータ読取可能なプログラムコードを有し、前記プログラムコードは、ネットワークノード（２０）の処理回路（２４）により実行された場合に、前記ネットワークノードに、
キャリア周波数ごとに少なくとも１つのパラメータＮを判定することであって、前記パラメータＮは、マルチビームセル内での信号測定のためにワイヤレスデバイスにより使用されるべきビームの数を示す、前記判定することと、
前記パラメータＮを前記ワイヤレスデバイスへ通信することと、を含む動作を行わせる、コンピュータプログラムプロダクト。
【０１７０】
＜８＞
例示的な実施形態７のコンピュータプログラムプロダクトであって、上記動作は、
１つ以上の他のネットワークノードから、異なる複数のキャリアにおけるパラメータＮについてのセル固有オフセットに関する情報を受信することと、
受信した前記情報を前記パラメータＮを判定する際に使用することと、をさらに含む、コンピュータプログラムプロダクト。
【０１７１】
＜９＞
例示的な実施形態７のコンピュータプログラムプロダクトであって、上記動作は、
１つ以上の他のネットワークノードから、各ネットワークノードのそれぞれのセル内で使用されるビーム数に関する情報を受信することと、
キャリア上の全てのセルについての共通的なパラメータＮを判定するために、受信した前記情報と、前記ネットワークノードの自身のセル内で使用されるビーム数に関する情報とを使用することと、をさらに含む、コンピュータプログラムプロダクト。
【０１７２】
＜１０＞
ワイヤレスデバイスにおける使用のための方法であって、
ネットワークノードから、キャリア周波数ごとに少なくとも１つのパラメータＮを受信すること（１３０２）であって、前記パラメータＮは、マルチビームセル内での信号測定のためにワイヤレスデバイスにより使用されるべきビームの数を示す、前記受信することと、
前記少なくとも１つのパラメータＮを使用すること（１３０４）と、を含む方法。
【０１７３】
＜１１＞
ワイヤレスデバイス（１０）であって、
ネットワークノード（２０）から、キャリア周波数ごとに少なくとも１つのパラメータＮを受信するように動作可能なインタフェース（１２）であって、前記パラメータＮは、マルチビームセル内での信号測定のためにワイヤレスデバイスにより使用されるべきビームの数を示す、前記インタフェースと、
前記少なくとも１つのパラメータＮを使用するように動作可能な処理回路（１４）と、を備えるワイヤレスデバイス。
【０１７４】
＜１２＞
非一時的なコンピュータ読取可能な記憶媒体（１６）を備えるコンピュータプログラムプロダクトであって、前記媒体内に具現化されたコンピュータ読取可能なプログラムコードを有し、前記プログラムコードは、ワイヤレスデバイス（１０）の処理回路（１４）により実行された場合に、前記ワイヤレスデバイスに、
ネットワークノードから、キャリア周波数ごとに少なくとも１つのパラメータＮを受信することであって、前記パラメータＮは、マルチビームセル内での信号測定のためにワイヤレスデバイスにより使用されるべきビームの数を示す、前記受信することと、
前記少なくとも１つのパラメータＮを使用することと、を含む動作を行わせる、コンピュータプログラムプロダクト。
【０１７５】
図１４Ａ〜Ｃは、ある実施形態に従ってワイヤレスデバイス１０がネットワークノード２０Ａからキャリア周波数ごとに少なくとも１つのパラメータＮを受信する信号フローの例を示している。ある実施形態において、（ワイヤレスデバイス１０へサービスするサービングセルを含むネットワークノードなどの）ネットワークノード２０Ａは、ステップ１４０２及び１４０４（例えば、１４０４Ａ、Ｂ又はＣ）を含む方法を実行する。ある実施形態において、ワイヤレスデバイスは、ステップ１４０４（例えば、１４０４Ａ、Ｂ又はＣ）及びオプションとしてステップ１４０８を含む方法を実行する。
【０１７６】
ステップ１４０２において、ネットワークノード２０Ａは、キャリア周波数ごとに少なくとも１つのパラメータＮを判定する。パラメータＮは、セル内での信号測定のためにワイヤレスデバイスにより使用されるべきビームの最大数を示す。ネットワークノード２０Ａは、同一のキャリア周波数に属するセル上で信号測定を実行する際、及び／又はマルチビームセルにおいて信号測定を実行する際にワイヤレスデバイス１０を支援する目的でパラメータＮを判定し得る。
【０１７７】
ステップ１４０４において、ネットワークノード２０Ａは、ステップ１４０２において判定した１つ以上のパラメータＮをワイヤレスデバイス１０へ通信する。パラメータＮは、全てのワイヤレスデバイスに共通のシステム情報において、又は専用シグナリングにおいてワイヤレスデバイス１０へ通信され得る。ある実施形態では、測定オブジェクト（ＭｅａｓＯｂｊｅｃｔ）情報エレメントにおいて、ネットワークノードからワイヤレスデバイスへ、Ｎのパラメータがシグナリングされる。
【０１７８】
図１４Ａ、Ｂ及びＣは、ワイヤレスデバイス１０へパラメータＮを通信するためのオプションの一例を各々示している。図１４Ａは、ネットワークノード２０Ａが１つのパラメータＮと、全てのキャリア周波数が同一のパラメータＮを使用することを示すインジケータとを通信する（例えば、ステップ１４０４Ａ）例を示している。図１４Ｂは、ネットワークノード２０Ａが第１のパラメータＮ１と、どのキャリア周波数が当該第１のパラメータＮ１を使用するかを示すインジケータとを通信する（例えば、ステップ１４０４Ｂ）例を示している。例えば、上記インジケータは、第１のキャリア周波数及び第２のキャリア周波数の双方について第１のパラメータＮ１を使用すべきことを示してもよい。図１４Ｃは、ネットワークノード２０Ａが相異なるキャリア周波数について相異なるパラメータＮを通信する例を示している。例えば、ネットワークノードは、第１のパラメータＮ１及び当該第１のパラメータＮ１を第１のキャリア周波数に関連付ける情報、並びに、第２のパラメータＮ２及び当該第２のパラメータＮ２を第２のキャリア周波数に関連付ける情報を通信する（例えば、ステップ１４０４Ｃ）。第２のキャリア周波数は、第１のキャリア周波数とは異なる。いくつかの実施形態において、第１のパラメータＮ１を第１のキャリア周波数に関連付ける情報は、第１のキャリア周波数の周波数チャネル番号を含む。同様に、第２のパラメータＮ２を第２のキャリア周波数に関連付ける情報は、第２のキャリア周波数の周波数チャネル番号を含む。
【０１７９】
ワイヤレスデバイス１０は、ステップ１４０４においてパラメータＮを受信し、ステップ１４０６においてパラメータＮを使用する。例えば、ある実施形態において、特定のキャリア周波数に対応するパラメータＮは、セル内で信号測定を実行するために使用されるべきビームの最大数を判定するために使用され（ステップ１４０６Ａ）、及び、セル内でその最大数までのビーム上で信号測定が実行される（ステップ１４０６Ｂ）。信号測定が実行されるセルは、サービングセル（例えば、ネットワークノード２０Ａのセル）であってもよく、又は隣接セル（例えば、他のネットワークノードのセル）であってもよい。ワイヤレスデバイス１０が実行し得る信号測定の種類の例は、セル固有リファレンス信号の測定、同期信号の測定、又は無線リソース管理（ＲＲＭ）測定を含む。
【０１８０】
ある実施形態において、キャリア周波数ごとの少なくとも１つのパラメータＮは、第１のパラメータＮ１及び第２のパラメータＮ２を含む。第１のパラメータＮ１は、第１のキャリア周波数上での第１の種類の信号測定の実行用である。第２のパラメータＮ２は、同一のキャリア周波数（即ち、第１のキャリア周波数）上での第２の種類の信号測定の実行用である。第２の種類の信号測定は、第１の種類の信号測定とは異なる。一例として、第１のパラメータＮ１は、第１の周波数上で同期信号の測定を実行するために構成されてもよく、第２のパラメータＮ２は、同一の周波数（即ち、第１の周波数）上でセル固有リファレンス信号の測定を実行するために構成されてもよい。第１及び第２のパラメータＮは、ワイヤレスデバイスが同期信号測定をより多くのビーム上で実行し且つセル固有リファレンス信号の測定をより少ないビーム上で実行するように、又はその逆となるように構成されてもよい。
【０１８１】
図１４Ａ〜Ｃは、各々オプションとしてのステップ１４０８を含んでおり、ワイヤレスデバイス１０は、ステップ１４０６Ｂにおいて実行した信号測定に基づいて、１つ以上のタスクを実行する。タスクの例は、セルの信号品質の導出、セルの信号強度の導出、ネットワークノードへの報告、隣接ネットワークノードへの報告、他のワイヤレスデバイスへの報告、セルの変更、ワイヤレスデバイスの測位、ドライブテスト最小化の実行、及び／又は電力制御の実行を含む。
【０１８２】
上で議論したように、パラメータＮは、キャリア周波数ごとに提供される。キャリアごとのパラメータＮの提供は、パラメータＮがセルごとに提供された場合に要したかもしれなかった複雑さを低減し得る。例えば、パラメータＮがセルごとに提供されるとすれば、ワイヤレスデバイス１０は、各セルについての情報と隣接セルのリストとを知得することを必要とするはずである。本開示では、キャリア周波数ごとにパラメータＮが提供されることで、その複雑さが低減され、より一貫性のある測定が可能となり得る。なぜなら、１つのキャリア周波数は、あるセルと次のセルとで類似するフェージング特性を有するからである。
【０１８３】
図１５〜図１６は、ある実施形態に従って（図１４Ａ〜Ｃに関して議論したネットワークノード２０Ａなどの）ネットワークノードが特定のキャリア周波数上の全てのセルに共通的なパラメータＮを判定する信号フローの例を示している。図１５の例において、ネットワークノード２０Ａは、ステップ１５０２で、１つ以上の他のネットワークノードから情報を受信する。その情報は、各ネットワークノードのそれぞれのセルが特定のキャリア周波数について使用するビームの数を示す。図１５の例では、ネットワークノード２０Ａがネットワークノード２０Ｂからネットワークノード２０Ｂのセルが特定のキャリア周波数について使用するビームの数に関する情報を受信する。ステップ１５０４で、ネットワークノード２０Ａは、受信した上記情報（ネットワークノード２０Ｂのセルが具体的な周波数について使用するビームの数）と、ネットワークノード２０Ａの自身のセル内で当該特定のキャリア周波数について使用されるビームの数に関する情報とを使用して、特定のキャリア周波数上の全てのセルについての共通的なパラメータＮを判定する。
【０１８４】
図１６の例において、ネットワークノード２０Ａが特定のキャリア周波数について他のネットワークノードにより使用されるパラメータＮに関する情報を受信する。とりわけ、図１６に示した例では、ネットワークノード２０Ａは、ステップ１６０２で、ネットワークノード２０Ｂのセルが特定のキャリア周波数について使用するパラメータＮに関する情報を受信する。ステップ１６０４で、ネットワークノード２０Ａは、受信した上記情報（ネットワークノード２０Ｂのセルが具体的な周波数について使用するパラメータＮ）と、ネットワークノード２０Ａの自身のセル内で当該特定のキャリア周波数について使用されるパラメータＮに関する情報とを使用して、特定のキャリア周波数上の全てのセルについての共通的なパラメータＮを判定する。
【０１８５】
ある実施形態において、上記共通的なパラメータＮは、上記ネットワークノード若しくは他のネットワークノードのいずれかにより使用される最大のパラメータＮ、上記ネットワークノード若しくは他のネットワークノードのいずれかにより使用される最小のパラメータＮ、上記ネットワークノード及び他のネットワークノードにより使用されるパラメータＮの平均、又は、上記ネットワークノード及び他のネットワークノードにより使用されるパラメータＮの第Ｘパーセンタイル、のうちの１つに基づいて判定される。
【０１８６】
図１７〜図１８は、ある実施形態に従ってネットワークノード２０Ａが特定のキャリア周波数に属するセルの集合内の全てのセルが同数のビームを有するかをワイヤレスデバイスへ示す信号フローの例を示している。例えば、図１７において、ネットワークノード２０Ａは、ステップ１７０２にて、特定のキャリア周波数に属するセルの集合内の全てのセルが同数のビームを有することを示す。ワイヤレスデバイス１０は、ステップ１７０２にて、当該インジケーションを受信し、それに応じて、上記集合内のいずれか１つのセルについて特定のキャリア周波数上のビーム数を検出し（ステップ１７０４）、及び、上記集合内のその他のセルが当該特定のキャリア周波数上で同一のビーム数を有すると仮定する（ステップ１７０６）。一例として、ワイヤレスデバイス１０は、サービングセルが第１のキャリア周波数上で４つのビームを有していることを検出し、そして集合内の隣接セルもまた第１のキャリア周波数上で４つのビームを有すると仮定し得る。
【０１８７】
図１８に関して言うと、例えば、ネットワークノード２０Ａは、ステップ１８０２にて、特定のキャリア周波数に属するセルの集合内のセルが全て同数のビームを有するわけではないことを示す。ワイヤレスデバイス１０は、ステップ１８０２にて、上記インジケーションを受信し、それに応じて、セルごとに、特定のキャリア周波数上のビーム数を、それぞれのセルからのシステム情報を読取ることにより検出する。一例として、ワイヤレスデバイス１０は、サービングセルのシステム情報及び隣接セルのシステム情報を読取り、それによりサービングセルが第１のキャリア上で４つのビームを有しており且つ隣接セルが第１のキャリア上で８つのビームを有していることを検出し得る。
【０１８８】
図１９〜図２０は、ある実施形態に従ってネットワークノード２０Ａが第１のキャリア周波数に属するセル上のビーム数が第２のキャリア周波数に属するセル上のビーム数と同一であるかをワイヤレスデバイス１０へ示す信号フローの例を示している。例えば、図１９のステップ１９０２において、ネットワークノード２０Ａは、第１のキャリア周波数に属するセル上のビーム数が第２のキャリア周波数に属するセル上のビーム数と同一であることを示すインジケータを通信する。ワイヤレスデバイス１０は、ステップ１９０２にて、上記インジケータを受信し、それに応じて、ステップ１９０４において、第１のキャリア周波数上のビームの数を検出する。ステップ１９０６において、ワイヤレスデバイスは、第２のキャリア周波数が同数のビームを有すると仮定する。一例として、ワイヤレスデバイス１０は、第１のキャリア周波数上で４つのビームを検出し、そして第２のキャリア周波数もまた４つのビームを有すると仮定し得る。
【０１８９】
図２０に関しては、ネットワークノード２０Ａは、ステップ２００２で、第１のキャリア周波数に属するセル上のビーム数が第２のキャリア周波数に属するセル上のビーム数と同一ではないことを示すインジケータを通信する。ワイヤレスデバイス２０は、ステップ２００２にて、上記インジケータを受信し、それに応じて、第１のキャリア周波数上のビーム数を検出し（ステップ２００４）、及び（第２のキャリア周波数が同数のビームを有すると仮定するよりもむしろ）第２のキャリア周波数上のビーム数を検出する（ステップ２００６）。
【０１９０】
図２１は、ある実施形態に従ってワイヤレスデバイス１０がＵＥ固有オフセットと共に構成される信号フローの例を示している。ステップ２１０２において、ネットワークノード２０Ａは、ワイヤレスデバイスのビーム形成ケイパビリティに基づいて、ＵＥ固有オフセットを判定する。ステップ２１０４において、ネットワークノード２０Ａは、上記ＵＥ固有オフセットをワイヤレスデバイス１０へ送信する。ワイヤレスデバイス１０は、ステップ２１０４において、上記ＵＥ固有オフセットを受信する。ステップ２１０６において、ワイヤレスデバイス１０は、上記ＵＥ固有オフセットと共に構成される。例えば、ワイヤレスデバイス１０は、上記ＵＥ固有オフセットに基づいて、構成パラメータを設定してもよい。ステップ２１０８において、ワイヤレスデバイス１０は、上記ＵＥ固有オフセットに従って、少なくとも１つのパラメータＮの値を調整する。一例として、上記ＵＥ固有オフセットは＋１に設定され、パラメータＮは３に設定され、ワイヤレスデバイス１０は、信号測定を実行するために使用するパラメータＮの値を４に調整する。
【０１９１】
図２２〜図２４は、ある実施形態に係るセル固有オフセットに関連する信号フローの例を示している。図２２に関しては、ステップ２２０２において、ネットワークノード２０Ａは、１つ以上のセル固有オフセットをワイヤレスデバイス１０へ通信する。各セル固有オフセットは、固有のセルに関連付けられる。例えば、１つのセル固有オフセットをネットワークノード２０Ａのサービングセルに関連付けることができ、及び／又は他のセル固有オフセットを他のネットワークノード（ネットワークノード２０Ｂなど）の隣接セルに関連付けることができる。ワイヤレスデバイスは、ステップ２２０２において、上記セル固有オフセットを受信し、ステップ２２０４において、上記セル固有オフセットと共に構成される。例えば、ワイヤレスデバイス１０は、上記セル固有オフセットに基づいて、１つ以上の構成パラメータを設定してもよい。ステップ２２０６において、ワイヤレスデバイス１０は、上記固有のセルの信号測定を実行する際に、上記セル固有オフセットに従って、少なくとも１つのパラメータＮの値を調整する。一例として、サービングセルについてのセル固有オフセットは＋１に設定され、関係するキャリア周波数についてパラメータＮは３に設定され、ワイヤレスデバイス１０は、パラメータＮの値を、サービングセルの関係する周波数キャリアの信号測定のためのビームの最大数として４という値を使用するように調整する。
【０１９２】
図２３は、ネットワークノード２０Ａがステップ２３０２において異なる複数のキャリア周波数におけるパラメータＮについてのセル固有オフセットに関する情報を受信する例を示している。上記情報は、ネットワークノード２０Ｂなどの１つ以上の他のネットワークノードから受信される。ステップ２３０４において、ネットワークノード２０Ａは、キャリア周波数ごとに少なくとも１つのパラメータＮを判定する際に、受信した上記情報を使用する。いくつかの実施形態において、ネットワークノード２０Ａは、より大きいセル固有オフセットのためにより小さいパラメータＮを、より小さいセル固有オフセットのためにより大きいパラメータＮをワイヤレスデバイス１０へ送信することを決定し得る。
【０１９３】
図２４は、ワイヤレスデバイス１０がステップ２４０２においてネットワークノード２０Ｂの新たなセルのような新たなセルのセル固有オフセットを検出する例を示している。ステップ２４０２において、ワイヤレスデバイス１０は、新たなセルのセル固有オフセットをサービングセル（例えば、ネットワークノード２０Ａのセル）へ報告する。ネットワークノード２０Ａ／サービングセルは、ステップ２４０４において、上記新たなセルのセル固有オフセットを受信する。オプションとして、ネットワークノード２０Ａ／サービングセルは、ステップ２４０６において、上記新たなセルのセル固有オフセットを使用して、あるキャリア周波数について少なくとも１つのパラメータＮを判定する。
【０１９４】
本文書において説明した任意の２つ以上の実施形態が互いにいかなる手法で組み合わされてもよい。さらに、説明した実施形態は、説明した無線アクセス技術には限定されない。即ち、説明した実施形態を他の無線アクセス技術に適応させることができる。
【０１９５】
本開示の範囲から逸脱することなく、ここで説明したシステム及び装置に対し修正、追加又は省略がなされてよい。システム及び装置のコンポーネントは、集積されてもよく、又は分離されてもよい。そのうえ、システム及び装置の動作は、より多くの、より少ない、又は他のコンポーネントにより実行されてもよい。追加的に、システム及び装置の動作は、ソフトウェア、ハードウェア及び／又は他のロジックを含む任意の適したロジックを用いて実行されてよい。本文書において使用されているところでは、“各”は、集合の各メンバ又は集合のサブセットの各メンバへの言及である。“アクションを実行するように動作可能である”との言い回しは、“アクションを実行するように適合される”を含み得ることが注記される。
【０１９６】
本開示の範囲から逸脱することなく、ここで説明した方法に対し修正、追加又は省略がなされてよい。方法は、より多くの、より少ない、又は他のステップを含んでもよい。追加的に、ここで開示したどの方法のステップも、別段の明示的な記述の無い限り、開示した厳密な順序で実行されなくてよい。ある実施形態についてあるステップがオプションとして説明されているものの、他の実施形態においては他のステップがオプションであり得る。あるエレメント、装置、コンポーネント、ステップなどへの全ての言及は、別段の明示的な記述の無い限り、それらエレメント、装置、コンポーネント、ステップなどの少なくとも１つの実例への言及としてオープンに解釈されるべきである。
【０１９７】
ある実施形態の観点で本開示を説明したものの、それら実施形態の変形及び置換えが当業者には明らかであろう。したがって、それら実施形態の上の説明は、本開示を制約しない。本開示の範囲から逸脱することなく、他の変更、代用及び変形が可能である。
【０１９８】
Ｒｘｘｘｘ文書及びＴＳｘｘｘ文書といった３ＧＰＰ規格は、www.3gpp.orgにおいて公に利用可能である。
【図１】
0006967601.tif 000002
【図２】
0006967601.tif 000003
【図３】
0006967601.tif 000004
【図４】
0006967601.tif 000005
【図５】
0006967601.tif 000006
【図６】
0006967601.tif 000007
【図７】
0006967601.tif 000008
【図８】
0006967601.tif 000009
【図９】
0006967601.tif 000010
【図１０】
0006967601.tif 000011
【図１１】
0006967601.tif 000012
【図１２】
0006967601.tif 000013
【図１３】
0006967601.tif 000014
【図１４Ａ】
0006967601.tif 000015
【図１４Ｂ】
0006967601.tif 000016
【図１４Ｃ】
0006967601.tif 000017
【図１５】
0006967601.tif 000018
【図１６】
0006967601.tif 000019
【図１７】
0006967601.tif 000020
【図１８】
0006967601.tif 000021
【図１９】
0006967601.tif 000022
【図２０】
0006967601.tif 000023
【図２１】
0006967601.tif 000024
【図２２】
0006967601.tif 000025
【図２３】
0006967601.tif 000026
【図２４】
0006967601.tif 000027